(57)【特許請求の範囲】
【請求項１】
基地局におけるワイヤレス通信の方法であって、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、ＵＥのグループに知られている無線ネットワーク一時識別子（ＲＮＴＩ）を伴う新しいダウンリンク制御情報（ＤＣＩ）フォーマットによって複数のＵＥにブロードキャストされる、
を備える、方法。
【請求項２】
前記情報を受信することは、少なくとも１つのＵＥから報告を受信することを含む、請求項１に記載の方法。
【請求項３】
前記情報を受信することは、前記複数のＲＡＴについてのトラフィックを観察することを備える、請求項１に記載の方法。
【請求項４】
前記少なくとも１つのＣＣＡパラメータは、スロットごとに前記ＵＥによって使用されることになるＣＣＡしきい値を備える、ここにおいて、異なるＣＣＡしきい値は、異なるスロットについて示される、請求項１に記載の方法。
【請求項５】
前記基地局から前記ＵＥに示される前記少なくとも１つのＣＣＡパラメータは、チャネルアクセススキームまたはバックオフスキームのうちの１つのインジケーションを備える、請求項１に記載の方法。
【請求項６】
前記基地局から前記ＵＥに示される前記少なくとも１つのＣＣＡパラメータは、チャネルアクセススキームのインジケーションを備え、前記示されるチャネルアクセススキームは、ＵＬチャネルごとに異なる、請求項１に記載の方法。
【請求項７】
前記少なくとも１つのＣＣＡパラメータは、前記ＣＣＡプロシージャのためのスロットの少なくとも一部についての持続時間を備え、ここにおいて、異なるスロットは、異なる持続時間を有する、請求項１に記載の方法。
【請求項８】
前記少なくとも１つのＣＣＡパラメータは、予約信号タイプを尊重するかどうかのインジケーションを備え、前記予約信号タイプは、
Ｗｉ−Ｆｉ予約信号、
ＵＥ展開に関連する予約信号、または、
別のライセンス支援アクセス展開に関連する予約信号、
のうちの少なくとも１つである、請求項１に記載の方法。
【請求項９】
前記インジケーションは、最大送信電力または送信電力の変化を備える、請求項１に記載の方法。
【請求項１０】
基地局におけるワイヤレス通信の方法であって、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、前記ＣＣＡプロシージャを実施するとき、Ｗｉ−Ｆｉチャネル使用ビーコン信号（Ｗ−ＣＵＢＳ）を送信するかどうかを示す、
を備える、方法。
【請求項１１】
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項１０に記載の方法。
【請求項１２】
前記情報は、前記ＵＥから受信され、前記ＵＥによって受信されるＷｉ−Ｆｉパケットのタイプ、ダウンリンク（ＤＬ）送信についての干渉測定報告、およびＣＣＡクリアランス統計値のうちの少なくとも１つを備え、
前記少なくとも１つのＣＣＡパラメータは、前記ＵＥから受信された前記情報を少なくとも部分的に使用して決定される、
請求項１１に記載の方法。
【請求項１３】
基地局におけるワイヤレス通信の方法であって、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、競合ベースのアクセスがＵＬ送信について可能にされているかどうかを示し、ここにおいて、前記競合ベースのアクセスが可能にされていることを前記少なくとも１つのＣＣＡパラメータが示すとき、前記ＵＥは、前記基地局からのＵＬグラントなしに、チャネルを求めて競合することができ、ここにおいて、前記競合ベースのアクセスが可能にされていないことを前記少なくとも１つのＣＣＡパラメータが示すとき、前記ＵＥは、前記チャネルを求めて競合するために前記基地局からの前記ＵＬグラントを待つ、
を備える、方法。
【請求項１４】
前記少なくとも１つのＣＣＡパラメータは、アップリンクＣＣＡ免除送信（ＵＬ−ＣＥＴ）が可能にされているかどうかを示す、請求項１に記載の方法。
【請求項１５】
基地局におけるワイヤレス通信のための装置であって、
アンライセンススペクトル上で動作する複数の無線アクセス技術（ＲＡＴ）についてのワイヤレス通信に関する情報を受信するための手段と、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定するための手段と、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信するための手段と、ここにおいて、前記少なくとも１つのＣＣＡパラメータは、ＵＥのグループに知られている無線ネットワーク一時識別子（ＲＮＴＩ）を伴う新しいダウンリンク制御情報（ＤＣＩ）フォーマットによって複数のＵＥにブロードキャストされる、
を備える、装置。
【請求項１６】
前記情報を受信することは、少なくとも１つのＵＥから報告を受信すること、または前記複数のＲＡＴについてのトラフィックを観察することのうちの少なくとも１つを含む、請求項１５に記載の装置。
【請求項１７】
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項１５に記載の装置。
【請求項１８】
前記情報は、前記ＵＥから受信され、前記ＵＥによって受信されるＷｉ−Ｆｉパケットのタイプ、ダウンリンク（ＤＬ）送信についての干渉測定報告、およびＣＣＡクリアランス統計値のうちの少なくとも１つを備え、
前記少なくとも１つのＣＣＡパラメータは、前記ＵＥから受信された前記情報を少なくとも部分的に使用して決定される、
請求項１７に記載の装置。
【請求項１９】
前記基地局から前記ＵＥに示される前記少なくとも１つのＣＣＡパラメータは、
スロットごとに前記ＵＥによって使用されることになるＣＣＡしきい値、ここにおいて、異なるＣＣＡしきい値は、異なるスロットについて示される、
チャネルアクセススキーム、
バックオフスキーム、
前記チャネルアクセススキームであって、前記示されるチャネルアクセススキームがＵＬチャネルごとに異なる、前記チャネルアクセススキーム、
前記ＣＣＡプロシージャのためのスロットの少なくとも一部についての持続時間、ここにおいて、異なるスロットは、異なる持続時間を有する、
予約信号タイプを尊重するかどうか、前記予約信号タイプは、Ｗｉ−Ｆｉ予約信号、ＵＥ展開に関連する予約信号、または別のライセンス支援アクセス展開に関連する予約信号のうちの少なくとも１つである、
前記ＣＣＡプロシージャを実施するとき、Ｗｉ−Ｆｉチャネル使用ビーコン信号（Ｗ−ＣＵＢＳ）を送信するかどうか、
競合ベースのアクセスがＵＬ送信について可能にされているかどうか、ここにおいて、前記競合ベースのアクセスが可能にされているとき、前記ＵＥは、前記基地局からのＵＬグラントなしに、チャネルを求めて競合することができる、または
アップリンクＣＣＡ免除送信（ＵＬ−ＣＥＴ）が可能にされているかどうか、
のうちの少なくとも１つを示す、請求項１５に記載の装置。
【請求項２０】
基地局におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、ＵＥのグループに知られている無線ネットワーク一時識別子（ＲＮＴＩ）を伴う新しいダウンリンク制御情報（ＤＣＩ）フォーマットによって複数のＵＥにブロードキャストされる、
を行うように構成される、
装置。
【請求項２１】
前記情報を受信することは、少なくとも１つのＵＥから報告を受信すること、または前記複数のＲＡＴについてのトラフィックを観察することのうちの少なくとも１つを含む、請求項２０に記載の装置。
【請求項２２】
前記基地局から前記ＵＥに示される前記少なくとも１つのＣＣＡパラメータは、
スロットごとに前記ＵＥによって使用されることになるＣＣＡしきい値、ここにおいて、異なるＣＣＡしきい値は、異なるスロットについて示される、
チャネルアクセススキーム、
バックオフスキーム、
前記チャネルアクセススキームであって、前記示されるチャネルアクセススキームがＵＬチャネルごとに異なる、前記チャネルアクセススキーム、
前記ＣＣＡプロシージャのためのスロットの少なくとも一部についての持続時間、ここにおいて、異なるスロットは、異なる持続時間を有する、
予約信号タイプを尊重するかどうか、前記予約信号タイプは、Ｗｉ−Ｆｉ予約信号、ＵＥ展開に関連する予約信号、または別のライセンス支援アクセス展開に関連する予約信号のうちの少なくとも１つである、
前記ＣＣＡプロシージャを実施するとき、Ｗｉ−Ｆｉチャネル使用ビーコン信号（Ｗ−ＣＵＢＳ）を送信するかどうか、
競合ベースのアクセスがＵＬ送信について可能にされているかどうか、ここにおいて、前記競合ベースのアクセスが可能にされているとき、前記ＵＥは、前記基地局からのＵＬグラントなしに、チャネルを求めて競合することができる、または
アップリンクＣＣＡ免除送信（ＵＬ−ＣＥＴ）が可能にされているかどうか、
のうちの少なくとも１つを示す、請求項２０に記載の装置。
【請求項２３】
基地局におけるワイヤレス通信のためのコンピュータ実行可能コードを記憶する非一時的コンピュータ読み取り可能な媒体であって、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）についてのワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、ＵＥのグループに知られている無線ネットワーク一時識別子（ＲＮＴＩ）を伴う新しいダウンリンク制御情報（ＤＣＩ）フォーマットによって複数のＵＥにブロードキャストされる、
を行うためのコードを備える、
非一時的コンピュータ読み取り可能な媒体。
【請求項２４】
前記情報を受信することは、少なくとも１つのＵＥから報告を受信すること、または前記複数のＲＡＴについてのトラフィックを観察することのうちの少なくとも１つを含む、請求項２３に記載の非一時的コンピュータ読み取り可能な媒体。
【請求項２５】
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項２３に記載の非一時的コンピュータ読み取り可能な媒体。
【請求項２６】
前記情報は、前記ＵＥから受信され、前記ＵＥによって受信されるＷｉ−Ｆｉパケットのタイプ、ダウンリンク（ＤＬ）送信についての干渉測定報告、およびＣＣＡクリアランス統計値のうちの少なくとも１つを備え、
前記少なくとも１つのＣＣＡパラメータは、前記ＵＥから受信された前記情報を少なくとも部分的に使用して決定される、
請求項２５に記載の非一時的コンピュータ読み取り可能な媒体。
【請求項２７】
前記基地局から前記ＵＥに示される前記少なくとも１つのＣＣＡパラメータは、
スロットごとに前記ＵＥによって使用されることになるＣＣＡしきい値、ここにおいて、異なるＣＣＡしきい値は、異なるスロットについて示される、
チャネルアクセススキーム、
バックオフスキーム、
前記チャネルアクセススキームであって、前記示されるチャネルアクセススキームがＵＬチャネルごとに異なる、前記チャネルアクセススキーム、
前記ＣＣＡプロシージャのためのスロットの少なくとも一部についての持続時間、ここにおいて、異なるスロットは、異なる持続時間を有する、
予約信号タイプを尊重するかどうか、前記予約信号タイプは、Ｗｉ−Ｆｉ予約信号、ＵＥ展開に関連する予約信号、または別のライセンス支援アクセス展開に関連する予約信号のうちの少なくとも１つである、
前記ＣＣＡプロシージャを実施するとき、Ｗｉ−Ｆｉチャネル使用ビーコン信号（Ｗ−ＣＵＢＳ）を送信するかどうか、
競合ベースのアクセスがＵＬ送信について可能にされているかどうか、ここにおいて、前記競合ベースのアクセスが可能にされているとき、前記ＵＥは、前記基地局からのＵＬグラントなしに、チャネルを求めて競合することができる、または
アップリンクＣＣＡ免除送信（ＵＬ−ＣＥＴ）が可能にされているかどうか、
のうちの少なくとも１つを示す、請求項２３に記載の非一時的コンピュータ読み取り可能な媒体。
【請求項２８】
ユーザ装置（ＵＥ）におけるワイヤレス通信の方法であって、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータの前記インジケーションは、ＵＥのグループに知られている無線ネットワーク一時識別子（ＲＮＴＩ）を伴う新しいダウンリンク制御情報（ＤＣＩ）フォーマットによるブロードキャストにおいて受信される、
ＵＬ送信のための前記ＣＣＡプロシージャを実施する際に前記少なくとも１つのＣＣＡパラメータを使用するかどうかを決定することと、
前記ＣＣＡプロシージャを実施することと、
を備える、方法。
【請求項２９】
前記ＣＣＡプロシージャを実施することは、前記少なくとも１つの示されたＣＣＡパラメータを使用して、ＵＬ送信のための前記ＣＣＡプロシージャを実施することを含む、請求項２８に記載の方法。
【請求項３０】
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、請求項２８に記載の方法。
【請求項３１】
前記ＵＥは、アップリンク（ＵＬ）送信のための前記ＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、請求項２８に記載の方法。
【請求項３２】
前記情報は、前記少なくとも１つのＣＣＡパラメータの前記インジケーションを受信することに先立った、受信されたＷｉ−Ｆｉパケットのタイプ、ダウンリンク（ＤＬ）送信についての干渉測定報告、およびＣＣＡクリアランス統計値のうちの少なくとも１つを備える、請求項２８に記載の方法。
【請求項３３】
ユーザ装置（ＵＥ）におけるワイヤレス通信のための装置であって、
アンライセンススペクトル上で動作する複数の無線アクセス技術（ＲＡＴ）についてのワイヤレス通信に関する情報を基地局に送信するための手段と、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信するための手段と、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータの前記インジケーションは、ＵＥのグループに知られている無線ネットワーク一時識別子（ＲＮＴＩ）を伴う新しいダウンリンク制御情報（ＤＣＩ）フォーマットによるブロードキャストにおいて受信される、
ＵＬ送信のための前記ＣＣＡプロシージャを実施する際に前記少なくとも１つのＣＣＡパラメータを使用するかどうかを決定するための手段と、
前記ＣＣＡプロシージャを実施するための手段と、
を備える、装置。
【請求項３４】
前記決定するための手段が前記少なくとも１つのＣＣＡパラメータを使用しないと決定するとき、前記ＣＣＡプロシージャを前記実施するための手段は、前記少なくとも１つの示されたＣＣＡパラメータとは異なるパラメータを使用する、請求項３３に記載の装置。
【請求項３５】
前記受信するための手段は、アップリンク（ＵＬ）送信のための前記ＣＣＡプロシージャを実施する際に使用するための複数のパラメータについてのインジケーションを受信し、ここにおいて、前記ＣＣＡプロシージャを前記実施するための手段は、前記複数の示されたパラメータの一部のみを使用する、請求項３３に記載の装置。
【請求項３６】
前記インジケーションは、
ＵＬグラント、
ダウンリンク（ＤＬ）グラント、
複数のユーザ装置（ＵＥ）を対象とする前記ブロードキャスト、
無線リソース制御（ＲＲＣ）メッセージ、または
媒体アクセス制御（ＭＡＣ）制御要素、
のうちの少なくとも１つにおいて受信される、請求項３３に記載の装置。
【請求項３７】
前記情報は、前記少なくとも１つのＣＣＡパラメータの前記インジケーションを受信することに先立った、受信されたＷｉ−Ｆｉパケットのタイプ、ダウンリンク（ＤＬ）送信についての干渉測定報告、およびＣＣＡクリアランス統計値のうちの少なくとも１つを備える、請求項３３に記載の装置。
【請求項３８】
ユーザ装置（ＵＥ）におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータの前記インジケーションは、ＵＥのグループに知られている無線ネットワーク一時識別子（ＲＮＴＩ）を伴う新しいダウンリンク制御情報（ＤＣＩ）フォーマットによるブロードキャストにおいて受信される、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うように構成される、装置。
【請求項３９】
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、請求項３８に記載の装置。
【請求項４０】
前記ＵＥは、アップリンク（ＵＬ）送信のための前記ＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、請求項３８に記載の装置。
【請求項４１】
前記情報は、前記少なくとも１つのＣＣＡパラメータの前記インジケーションを受信することに先立った、受信されたＷｉ−Ｆｉパケットのタイプ、ダウンリンク（ＤＬ）送信についての干渉測定報告、およびＣＣＡクリアランス統計値のうちの少なくとも１つを備える、請求項３８に記載の装置。
【請求項４２】
ユーザ装置（ＵＥ）におけるワイヤレス通信のためのコンピュータ実行可能コードを記憶する非一時的コンピュータ読み取り可能な媒体であって、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータの前記インジケーションは、ＵＥのグループに知られている無線ネットワーク一時識別子（ＲＮＴＩ）を伴う新しいダウンリンク制御情報（ＤＣＩ）フォーマットによるブロードキャストにおいて受信される、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うためのコードを備える、非一時的コンピュータ読み取り可能な媒体。
【請求項４３】
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、請求項４２に記載の非一時的コンピュータ読み取り可能な媒体。
【請求項４４】
前記ＵＥは、アップリンク（ＵＬ）送信のための前記ＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、請求項４２に記載の非一時的コンピュータ読み取り可能な媒体。
【請求項４５】
前記インジケーションは、
ＵＬグラント、
ダウンリンク（ＤＬ）グラント、
複数のユーザ装置（ＵＥ）を対象とする前記ブロードキャスト、
無線リソース制御（ＲＲＣ）メッセージ、
媒体アクセス制御（ＭＡＣ）制御要素、
のうちの少なくとも１つにおいて受信される、請求項４２に記載の非一時的コンピュータ読み取り可能な媒体。
【請求項４６】
前記情報は、前記少なくとも１つのＣＣＡパラメータの前記インジケーションを受信することに先立った、受信されたＷｉ−Ｆｉパケットのタイプ、ダウンリンク（ＤＬ）送信についての干渉測定報告、およびＣＣＡクリアランス統計値のうちの少なくとも１つを備える、請求項４２に記載の非一時的コンピュータ読み取り可能な媒体。
【請求項４７】
基地局におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）上のワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、前記ＣＣＡプロシージャを実施するとき、Ｗｉ−Ｆｉチャネル使用ビーコン信号（Ｗ−ＣＵＢＳ）を送信するかどうかのインジケーションを備える、
を行うように構成される、
装置。
【請求項４８】
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、請求項４７に記載の装置。
【請求項４９】
前記情報は、前記ＵＥから受信され、前記ＵＥによって受信されるＷｉ−Ｆｉパケットのタイプ、ダウンリンク（ＤＬ）送信についての干渉測定報告、およびＣＣＡクリアランス統計値のうちの少なくとも１つを備え、
前記少なくとも１つのＣＣＡパラメータは、前記ＵＥから受信された前記情報を少なくとも部分的に使用して決定される、
請求項４８に記載の装置。
【請求項５０】
基地局におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を受信することと、
前記アンライセンススペクトル上の通信を備えるアップリンク（ＵＬ）通信のためのＣＣＡプロシージャを実施する際にユーザ装置（ＵＥ）によって使用されるための、少なくとも１つのクリアチャネルアセスメント（ＣＣＡ）パラメータを決定することと、ここにおいて、前記少なくとも１つのＣＣＡパラメータは、前記アンライセンススペクトル上で動作する複数の無線アクセス技術（ＲＡＴ）上のワイヤレス通信に関する前記受信された情報に基づいて決定され、
前記少なくとも１つのＣＣＡパラメータのインジケーションを前記基地局から前記ＵＥに送信することと、ここにおいて、前記少なくとも１つのＣＣＡパラメータは、競合ベースのアクセスがＵＬ送信について可能にされているかどうかを示し、ここにおいて、前記競合ベースのアクセスが可能にされていることを前記少なくとも１つのＣＣＡパラメータが示すとき、前記ＵＥは、前記基地局からのＵＬグラントなしに、チャネルを求めて競合することができ、ここにおいて、前記競合ベースのアクセスが可能にされていないことを前記少なくとも１つのＣＣＡパラメータが示すとき、前記ＵＥは、前記チャネルを求めて競合するために前記基地局からの前記ＵＬグラントを待つ、
を行うように構成される、
装置。
【請求項５１】
ユーザ装置（ＵＥ）におけるワイヤレス通信の方法であって、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータは、前記ＣＣＡプロシージャを実施するとき、Ｗｉ−Ｆｉチャネル使用ビーコン信号（Ｗ−ＣＵＢＳ）を送信するかどうかを示し、
ＵＬ送信のための前記ＣＣＡプロシージャを実施する際に前記少なくとも１つのＣＣＡパラメータを使用するかどうかを決定することと、
前記ＣＣＡプロシージャを実施することと、
を備える、方法。
【請求項５２】
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、または
媒体アクセス制御（ＭＡＣ）制御要素、
のうちの少なくとも１つにおいて受信される、請求項５１に記載の方法。
【請求項５３】
ユーザ装置（ＵＥ）におけるワイヤレス通信の方法であって、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータは、競合ベースのアクセスが前記ＵＬ送信について可能にされているかどうかを示し、ここにおいて、前記競合ベースのアクセスが可能にされていることを前記少なくとも１つのＣＣＡパラメータが示すとき、前記ＵＥは、前記基地局からのＵＬグラントなしに、チャネルを求めて競合することができ、ここにおいて、前記競合ベースのアクセスが可能にされていないことを前記少なくとも１つのＣＣＡパラメータが示すとき、前記ＵＥは、前記チャネルを求めて競合するために前記基地局からの前記ＵＬグラントを待つ、
ＵＬ送信のための前記ＣＣＡプロシージャを実施する際に前記少なくとも１つのＣＣＡパラメータを使用するかどうかを決定することと、
前記ＣＣＡプロシージャを実施することと
を備える、方法。
【請求項５４】
ユーザ装置（ＵＥ）におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータは、前記ＣＣＡプロシージャを実施するとき、Ｗｉ−Ｆｉチャネル使用ビーコン信号（Ｗ−ＣＵＢＳ）を送信するかどうかを示し、
ＵＬ送信のための前記ＣＣＡプロシージャを実施する際に前記少なくとも１つのＣＣＡパラメータを使用するかどうかを決定することと、
前記ＣＣＡプロシージャを実施することと
を行うように構成される、
装置。
【請求項５５】
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、または
媒体アクセス制御（ＭＡＣ）制御要素、
のうちの少なくとも１つにおいて受信される、請求項５４に記載の装置。
【請求項５６】
ユーザ装置（ＵＥ）におけるワイヤレス通信のための装置であって、
メモリと、
前記メモリに結合された少なくとも１つのプロセッサと、
を備え、前記少なくとも１つのプロセッサは、
アンライセンススペクトル上で動作する複数の無線アクセス技術（ＲＡＴ）についてのワイヤレス通信に関する情報を基地局に送信することと、
前記アンライセンススペクトル上の通信を備えるアップリンク（ＵＬ）送信のためのＣＣＡプロシージャを実施する際に使用するための、少なくとも１つのクリアチャネルアセスメント（ＣＣＡ）パラメータのインジケーションを受信することと、ここにおいて、前記少なくとも１つのＣＣＡパラメータは、前記基地局に送信される前記アンライセンススペクトル上で動作する複数の無線アクセス技術（ＲＡＴ）についてのワイヤレス通信に関する前記情報に基づいており、ここにおいて、前記少なくとも１つのＣＣＡパラメータは、競合ベースのアクセスが前記ＵＬ送信について可能にされているかどうかを示し、ここにおいて、前記競合ベースのアクセスが可能にされていることを前記少なくとも１つのＣＣＡパラメータが示すとき、前記ＵＥは、前記基地局からのＵＬグラントなしに、チャネルを求めて競合することができ、ここにおいて、前記競合ベースのアクセスが可能にされていないことを前記少なくとも１つのＣＣＡパラメータが示すとき、前記ＵＥは、前記チャネルを求めて競合するために前記基地局からの前記ＵＬグラントを待つ、
ＵＬ送信のための前記ＣＣＡプロシージャを実施する際に前記少なくとも１つのＣＣＡパラメータを使用するかどうかを決定することと、
前記ＣＣＡプロシージャを実施することと
を行うように構成される、
装置。
【発明の詳細な説明】
【関連出願の相互参照】
【０００１】
[0001]  本出願は、「CONTROL OF UE CLEAR CHANNEL ASSESSMENT BY AN ENB」と題されて２０１５年４月１７日に出願された米国仮出願第６２／１４９，３７７号、および「CONTROL OF UE CLEAR CHANNEL ASSESSMENT BY AN ENB」と題されて２０１６年４月１３日に出願された米国特許出願第１５／０９８，１２８号の利益を主張し、それらは参照によって全体がここに明示的に組み込まれる。
【技術分野】
【０００２】
[0002]  本開示の態様は、一般にワイヤレス通信システムに関し、より具体的には、ｅノードＢ（ｅＮＢ）による、アップリンク（ＵＬ）送信のためのユーザ装置（ＵＥ）のクリアチャネルアセスメント（ＣＣＡ）プロシージャの制御に関する。
【背景技術】
【０００３】
[0003]  ワイヤレス通信システムは、音声、ビデオ、パケットデータ、メッセージング、ブロードキャスト等のような様々なタイプの通信コンテンツを提供するために広く展開されている。これらのシステムは、利用可能なシステムリソース（例えば、時間、周波数、および電力）を共有することによって、複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、単一キャリア周波数分割多元接続（ＳＣ−ＦＤＭＡ）システム、および直交周波数分割多元接続（ＯＦＤＭＡ）システムを含む。
【０００４】
[0004]  例として、ワイヤレス多元接続通信システムは、いくつかの基地局を含み得、それらの各々は、別名ＵＥとして知られる複数の通信デバイスのための通信を同時にサポートする。基地局は、ダウンリンクチャネル（例えば、基地局からＵＥへの送信のための）およびアップリンクチャネル（例えば、ＵＥから基地局への送信のための）上で、ＵＥと通信し得る。
【０００５】
[0005]  通信のいくつかのモードは、セルラネットワークの、競合ベースの（contention-based）共有無線周波数スペクトルバンド上での、あるいは異なる無線周波数スペクトルバンド（例えば、ライセンス（licensed）無線周波数スペクトルバンドまたはアンライセンス（unlicensed）無線周波数スペクトルバンド）上での基地局とＵＥとの間の通信を可能にし得る。ライセンス無線周波数スペクトルバンドを使用するセルラネットワークにおけるデータトラフィックの増加に伴い、アンライセンス無線周波数スペクトルバンドへの少なくともいくらかのデータトラフィックのオフローディングは、向上されたデータ送信容量のための機会をセルラオペレータに提供し得る。アンライセンス無線周波数スペクトルバンドはまた、ライセンス無線周波数スペクトルバンドへのアクセスが利用可能でないエリアにおいて、サービスを提供し得る。
【０００６】
[0006]  競合ベースの共有無線周波数スペクトルバンドへのアクセスを獲得してそれ上で通信することに先立って、基地局またはＵＥは、共有無線周波数スペクトルバンドへのアクセスを求めて競合する（contend for）ためのリッスンビフォアトーク（ＬＢＴ）プロシージャを実施し得る。ＬＢＴプロシージャは、競合ベースの共有無線周波数スペクトルバンドのチャネルが利用可能であるかどうかを決定するためにＣＣＡプロシージャを実施することを含み得る。競合ベースの共有無線周波数スペクトルバンドのチャネルが利用可能であると決定されるとき、チャネル使用ビーコン信号（ＣＵＢＳ：channel usage beacon signal）のようなチャネル予約信号（channel reserving signal）が、チャネルを予約するために送信され得る。
【発明の概要】
【０００７】
[0007]  以下は、１つまたは複数の態様の基本的な理解を提供するために、そのような態様の簡略化された概要を提示する。この概要は、すべての考慮された態様の広範な概観ではなく、そして、すべての態様の主要または重要な要素を特定するようにも、任意またはすべての態様の範囲を詳細に叙述するようにも、意図されていない。その唯一の目的は、後に提示されるより詳細な説明への前置きとして、簡略化された形式で１つまたは複数の態様のうちのいくつかの概念を提示することである。
【０００８】
[0008]  アンライセンススペクトル（ＬＴＥ（登録商標）−Ｕ）におけるロングタームエボリューションでは、ｅＮＢとＵＥとの両方が、チャネルにアクセスするためにＣＣＡ動作を実施する。ＤＬ送信については、ｅＮＢは、送信する前にＣＣＡを実施することによって媒体をキャプチャしなければならない。同様に、ＵＥは、ＵＬデータを送信するためにＣＣＡプロシージャを実施しなければならない。時に、ＵＥは、それがｅＮＢからＵＬグラントを受信するまで、ＣＣＡ動作を実施するのを待つことを要求され得る。またある時には、ＵＥは、ＵＬグラントを受信することなくＣＣＡを実施することによって、チャネルを求めて競合し得る。ＵＥがＵＬグラントを待つか否かに関わらず、ＵＥは、ｅＮＢから独立して（autonomously from）ＣＣＡを実施する。ｅＮＢおよびＵＥは、異なるアクセスプロシージャおよびリッスンビフォアトーク（ＬＢＴ）メカニズムを使用し得、および異なる干渉条件（interference condition）を経験し得る。ＵＥは、ＵＬデータを送信するためにＣＣＡを実施する必要があるので、不成功のＣＣＡは、ＵＥにＵＬ送信を遅延させることを余儀なくする。
【０００９】
[0009]  ここに提示されるように、ｅＮＢは、ＣＣＡ動作を実施する際にＵＥを導くために、潜在的なトラフィック、干渉、ＣＣＡクリアランス統計値（CCA clearance statistics）等についてのそれの知識を使用し得る。これは、ＵＥが成功したＣＣＡ（successful CCA）を実施する見込み（likelihood）を増加させることによって、失敗したＣＣＡによってＵＥに引き起こされる遅延を減少させ得る。
【００１０】
[0010]  ここに提示される様々な態様は、ｅＮＢがＵＥのチャネルアクセスプロシージャのパラメータを制御し得るメカニズムを提供する。ｅＮＢは、１つまたは複数の無線アクセス技術（ＲＡＴ）についてのワイヤレス通信に関する情報を受信し、受信された情報および／または観察されたネットワークトラフィックに基づいて、ＵＬのためのＣＣＡプロシージャを実施する際にＵＥによって使用されるための少なくとも１つのＣＣＡパラメータを決定し、少なくとも１つのＣＣＡパラメータのインジケーション（indication）をＵＥに送信する。情報は、少なくとも１つのＵＥから報告としてｅＮＢによって受信され得るか、１つまたは複数のＲＡＴについてのトラフィックを観察することの結果であり得るか、またはそれらの何らかの組合せであり得る。
【００１１】
[0011]  一旦ＵＥがｅＮＢから（１つまたは複数の）ＣＣＡパラメータを受信すると、それはＵＬ送信のためのＣＣＡプロシージャを実施する際に少なくとも１つのＣＣＡパラメータを使用するかどうかを決定する。次いで、それはＣＣＡ動作を実施する。ＵＥは時に、ｅＮＢによってそれに示されたＣＣＡパラメータのうちの少なくとも１つを尊重（respect）しないことを決定し得る。したがって、ＵＥは、ｅＮＢによって示されたすべてのＣＣＡパラメータを尊重し得るか、ｅＮＢによって示されたＣＣＡパラメータのうちのいくつかを尊重し得るか、ｅＮＢによって示されたＣＣＡパラメータのいずれも尊重しない可能性がある。ｅＮＢによるＣＣＡプロシージャのクローズドループ制御は、ＵＥによるＣＣＡプロシージャにおいてより優れた効率を提供する。ｅＮＢは、それ自身の知識に基づいて、ＵＥによって使用されるためのＣＣＡパラメータを決定し得るか、またはＣＣＡパラメータについての推奨（recommendations）を提供し得る、および／または、ｅＮＢは、ＵＥのためのＣＣＡパラメータを決定するために、ＵＥによって提供される情報を使用し得る。
【００１２】
[0012]  本開示の一態様では、方法、コンピュータプログラム製品および装置が提供される。装置は、１つまたは複数の無線アクセス技術（ＲＡＴ）についてのワイヤレス通信に関する情報を受信し、受信された情報に基づいて、ＵＬ通信のためのＣＣＡプロシージャを実施する際にＵＥによって使用されるための少なくとも１つのＣＣＡパラメータを決定し、少なくとも１つのＣＣＡパラメータのインジケーションをＵＥに送信する。装置は、ＵＥから報告を受信し得る。とりわけ、報告は、ＵＥによって受信されるＷｉ−Ｆｉパケットのタイプ、干渉測定報告（interference measurement report）、およびＣＣＡクリアランス統計値のうちの少なくとも１つを備え得る。装置は、受信された報告を少なくとも部分的に使用してＣＣＡパラメータを決定し得る。
【００１３】
[0013]  本開示の別の態様では、方法、コンピュータプログラム製品および装置が提供される。装置は、ＵＬ送信のためのＣＣＡプロシージャを実施する際に使用するための少なくとも１つのＣＣＡパラメータのインジケーションを受信し、ＵＬ送信のためのＣＣＡプロシージャを実施する際に少なくとも１つのＣＣＡパラメータを使用するかどうかを決定する。ＵＥは次いで、（１つまたは複数の）示されたＣＣＡパラメータの何らかの組合せを使用してまたは使用しないで、ＵＬ送信のためのＣＣＡプロシージャを実施する。装置は、ＣＣＡパラメータのインジケーションを受信することに先立って、報告を送信し得る。報告は、受信されたＷｉ−Ｆｉパケット、ダウンリンク（ＤＬ）送信についての干渉測定報告、ＣＣＡクリアランス統計値等のいずれも備えることを備え得る。
【００１４】
[0014]  上の記載は、以下の詳細な説明がよりよく理解され得るように、本開示に従った例の特徴および技術的利点を、ある程度広く概説したものである。追加的な特徴および利点が以下に説明されることになる。開示される概念および特定の例は、本開示と同じ目的を実行するために他の構造を修正または設計するための基礎として、容易に利用され得る。そのような同等の構造は、添付の特許請求の範囲の範囲（the scope）から逸脱しない。本明細書に開示される概念の特性は、それらの編成（organization）および動作の方法の両方に関して、関連した利点と共に添付の図と関連して考慮されるときに以下の説明からよりよく理解されるであろう。これら図の各々は、単に例示および説明のために提供されており、特許請求の範囲の限定の定義として提供されているのではない。
【図面の簡単な説明】
【００１５】
[0015]  本開示の特性および利点のさらなる理解は、以下の図面を参照することによって実現され得る。添付の図面では、同様のコンポーネントまたは特徴は、同じ参照ラベルを有し得る。さらに、同じタイプの様々なコンポーネントは、参照ラベルの後にダッシュと同様のコンポーネント同士を区別する第２のラベルとを続けることによって、区別され得る。明細書において単に第１の参照ラベルだけが使用される場合、その説明は、第２の参照ラベルに関係なく、同じ第１の参照ラベルを有する同様のコンポーネントのうちのいずれのものにも適用可能である。
【図１】[0016]  図１は、様々な実施形態に従って、ワイヤレス通信システムの例を例示する図を示す。
【図２Ａ】[0017]  図２Ａは、様々な実施形態に従って、アンライセンススペクトルにおいてＬＴＥを使用するための展開状況（deployment scenarios）の例を例示する図を示す。
【図２Ｂ】[0018]  図２Ｂは、様々な実施形態に従って、アンライセンススペクトルにおいてＬＴＥを使用するための展開シナリオの別の例を例示する図を示す。
【図３】[0019]  図３は、本開示の態様に従って、アンライセンススペクトルを使用するワイヤレス通信の例を例示する図を示す。
【図４】[0020]  図４は、本開示の一態様に従って構成された基地局／ｅＮＢおよびＵＥの設計を概念的に例示するブロック図である。
【図５】[0021]  図５は、本開示の様々な態様による、競合ベースの共有無線周波数スペクトルバンドへのアクセスを求めて競合するときに送信装置によって実施される、拡張されたＣＣＡ（ＥＣＣＡ：extended CCA）プロシージャの例の例示である。
【図６】[0022]  図６は、基地局／ｅＮＢおよびＵＥの設計のブロック図を示し、それは、図１における基地局／ｅＮＢのうちの１つおよびＵＥのうちの１つであり得る。
【図７】[0023]  図７は、本開示の様々な態様による、ワイヤレス通信の例を例示するブロック図である。
【図８】[0024]  図８は、本開示の様々な態様による、ワイヤレス通信の方法のフローチャートを示す。
【図９】[0025]  図９は、例示的な装置内の、異なる手段／コンポーネント間のデータフローを例示する概念的なデータフローダイアグラムを示す。
【図１０】[0026]  図１０は、処理システムを用いる装置のためのハードウェアインプリメンテーションの例を例示する図を示す。
【図１１】[0027]  図１１は、本開示の様々な態様による、ワイヤレス通信の方法のフローチャートを示す。
【図１２】[0028]  図１２は、例示的な装置内の、異なる手段／コンポーネント間のデータフローを例示する概念的なデータフローダイアグラムを示す。
【図１３】[0029]  図１３は、処理システムを用いる装置のためのハードウェアインプリメンテーションの例を例示する図を示す。
【詳細な説明】
【００１６】
[0030]  添付図面に関連して以下に記載される詳細な説明は、様々な構成の１つの説明として意図されており、本開示の範囲を限定するようには意図されていない。むしろ、詳細な説明は、特許性を有する主題の完全な理解を提供することを目的として特定の詳細を含む。これら特定の詳細があらゆるケースで必要とされるわけではないこと、および、いくつかの事例では、周知の構造およびコンポーネントが提示の明確さのためにブロック図の形式で示されることは、当業者には明らかであろう。
【００１７】
[0031]  電気通信システムのいくつかの態様が、これから様々な装置および方法に関連して提示される。これらの装置および方法は、続く詳細な説明において説明され、（「要素」と総称される）様々なブロック、コンポーネント、回路、プロセス、アルゴリズム等によって、添付図面に例示される。これらの要素は、電子ハードウェア、コンピュータソフトウェア、またはこれらの任意の組合せを使用してインプリメントされ得る。このような要素が、ハードウェアとしてインプリメントされるか、あるいはソフトウェアとしてインプリメントされるかは、特定の用途およびシステム全体に課せられる設計制約に依存する。
【００１８】
[0032]  例として、要素、またはある要素の任意の部分、または複数の要素の任意の組合せは、１つまたは複数のプロセッサを含む「処理システム」としてインプリメントされ得る。プロセッサの例は、マイクロプロセッサ、マイクロコントローラ、グラフィックスプロセシングユニット（ＧＰＵ）、中央処理装置（ＣＰＵ）、アプリケーションプロセッサ、デジタルシグナルプロセッサ（ＤＳＰ）、ＲＩＳＣ（reduced instruction set computing）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明される様々な機能性（functionality）を実施するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語等の名称に関わらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味すると広く解釈されるべきである。
【００１９】
[0033]  アンライセンス無線周波数スペクトルバンドがワイヤレス通信システム上で競合ベースの通信の少なくとも一部のために使用される技法が説明される。いくつかの例では、競合ベースの共有無線周波数スペクトルバンドは、ロングタームエボリューション（ＬＴＥ）通信またはＬＴＥ−アドバンスト（ＬＴＥ−Ａ）通信のために使用され得る。競合ベースの無線周波数スペクトルバンドは、非競合（non-contention）ライセンス無線周波数スペクトルバンドと組み合わせて、または非競合ライセンス無線周波数スペクトルバンドとは無関係に（independent from）使用され得る。いくつかの例では、競合ベースの無線周波数スペクトルバンドは、無線周波数スペクトルバンドであって、少なくとも部分的にＷｉ−Ｆｉ用途のようなアンライセンス用途のためにその無線周波数スペクトルバンドが利用可能であるので、デバイスがそのためにアクセスを求めて競合する必要もあり得る、無線周波数スペクトルバンドであり得る。
【００２０】
[0034]  ライセンス無線周波数スペクトルバンドを使用するセルラネットワークにおいてデータトラフィックが増加すると、アンライセンスバンドにおけるような競合ベースの共有無線周波数スペクトルバンドへの少なくともいくらかのデータトラフィックのオフローディングは、セルラオペレータ（例えば、ＬＴＥ／ＬＴＥ−Ａネットワークのようなセルラネットワークを定義する基地局の協調セット（coordinated set）またはパブリックランドモバイルネットワーク（ＰＬＭＮ）のオペレータ）に、向上されたデータ送信容量のための機会を提供し得る。上述したように、アンライセンススペクトルのような競合ベースの共有無線周波数スペクトルバンド上で通信する前に、デバイスは、共有無線周波数スペクトルバンドへのアクセスを獲得するためにＬＢＴプロシージャを実施し得る。そのようなＬＢＴプロシージャは、アンライセンス無線周波数スペクトルバンドのチャネルが利用可能であるかどうかを決定するために、ＣＣＡプロシージャ（または拡張されたＣＣＡプロシージャ）を実施することを含み得る。競合ベースの無線周波数スペクトルバンドのチャネルが利用可能であると決定されるとき、チャネル予約信号（例えば、ＣＵＢＳ）が、チャネルを予約するために送信され得る。チャネルが利用可能でないと決定されるとき、ＣＣＡプロシージャ（または拡張されたＣＣＡプロシージャ）は、しばらく経って再度そのチャネルについて実施され得る。
【００２１】
[0035]  以下の説明は、例を提供するものであり、特許請求の範囲に記載される範囲、適用可能性、または例を限定するものではない。本開示の範囲から逸脱することなく、説明された要素の配置および機能に変更が成され得る。様々な例は、必要に応じて様々なプロシージャまたはコンポーネントを省略、代用、または追加し得る。例えば、説明される方法は、説明されるものとは異なる順序で実施され得、かつ様々なステップが追加、省略、または組み合わせられ得る。また、いくつかの例に関して説明される特徴は、他の例に組み合わせられ得る。
【００２２】
[0036]  図１は、本開示の様々な態様による、ワイヤレス通信システム１００の例の例示である。ワイヤレス通信システム１００は、基地局１０５、ＵＥ１１５、およびコアネットワーク１３０を含み得る。コアネットワーク１３０は、ユーザ認証、アクセス許可、トラッキング、インターネットプロトコル（ＩＰ）接続性、および他のアクセス、ルーティング、またはモビリティ機能を提供し得る。基地局１０５は、バックホールリンク１３２（例えば、Ｓ１等）を通してコアネットワーク１３０とインタフェースし得、ＵＥ１１５との通信のための無線構成およびスケジューリングを実施し得る、または基地局コントローラ（示されていない）の制御下で動作し得る。様々な例において、基地局１０５は、ワイヤードまたはワイヤレス通信リンクであり得るバックホールリンク１３４（例えば、Ｘ２等）上で他の基地局１０５と直接的にまたは間接的に（例えば、コアネットワーク１３０を通して）通信し得る。
【００２３】
[0037]  基地局１０５は、１つまたは複数の基地局アンテナを介してＵＥ１１５とワイヤレスに通信し得る。基地局１０５の位置（sites）の各々は、それぞれの地理的なカバレッジエリア１１０に通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得る。基地局１０５の地理的なカバレッジエリア１１０は、カバレッジエリアの一部を構成するセクタ（示されていない）に分割され得る。ワイヤレス通信システム１００は、異なるタイプの基地局１０５（例えば、マクロまたはスモールセル基地局）を含み得る。異なる技術について重複している地理的なカバレッジエリア１１０が存在し得る。
【００２４】
[0038]  いくつかの例では、ワイヤレス通信システム１００は、ＬＴＥ／ＬＴＥ−Ａネットワークを含み得る。ＬＴＥ／ＬＴＥ−Ａネットワークでは、発展型ノードＢ（ｅＮＢ）という用語は、基地局１０５を説明するために使用され得、一方でＵＥという用語は、ＵＥ１１５を説明するために使用され得る。ワイヤレス通信システム１００は、異なるタイプのｅＮＢが様々な地理的領域にカバレッジを提供する異種のＬＴＥ／ＬＴＥ−Ａネットワークであり得る。例えば、各ｅＮＢまたは基地局１０５は、マクロセル、スモールセル、または他のタイプのセルに通信カバレッジを提供し得る。「セル」という用語は、コンテキストに応じて、基地局、基地局に関連するキャリアまたはコンポーネントキャリア、あるいは基地局またはキャリアのカバレッジエリア（例えば、セクタ等）を説明するために使用されることができる３ＧＰＰ（登録商標）用語である。
【００２５】
[0039]  マクロセルは、比較的広い地理的エリア（例えば、半径数キロメートル）をカバーし得、ネットワークプロバイダにサービス加入しているＵＥによる無制限のアクセスを可能にし得る。スモールセルは、マクロセルと同じまたは異なる（例えば、ライセンス、アンライセンス等）無線周波数スペクトルバンドで動作し得る、マクロセルと比較してより低い電力の基地局であり得る。スモールセルは、様々な例に従って、ピコセル、フェムトセル、およびマイクロセルを含み得る。ピコセルは、マクロセルに比べて比較的より狭い地理的エリアをカバーし得、ネットワークプロバイダにサービス加入しているＵＥによる無制限のアクセスを可能にし得る。フェムトセルもまた、比較的より狭い地理的エリア（例えば、住居）をカバーし得、フェムトセルと関連のあるＵＥ（例えば、クローズド加入者グループ（ＣＳＧ）内のＵＥ、住居の中にいるユーザのためのＵＥ等）による制限付きのアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢまたはホームｅＮＢと称され得る。ｅＮＢは、１つのまたは複数（例えば、２つ、３つ、４つ等）のセル（例えば、コンポーネントキャリア）をサポートし得る。
【００２６】
[0040]  ワイヤレス通信システム１００は、同期または非同期動作をサポートし得る。同期動作の場合、複数の基地局は、同様のフレームタイミングを有し得、異なる基地局からの送信は、時間的にほぼアラインされ得る。非同期動作の場合、複数の基地局は、異なるフレームタイミングを有し得、異なる基地局からの送信は、時間的にアラインされない可能性がある。ここに説明される技法は、同期動作または非同期動作のいずれにも使用され得る。
【００２７】
[0041]  様々な開示された例のうちのいくつかに順応（accommodate）し得る通信ネットワークは、レイヤ化されたプロトコルスタックに従って動作するパケットベースのネットワークであり得る。ユーザプレーン（user plane）では、ベアラまたはパケットデータコンバージェンスプロトコル（ＰＤＣＰ）レイヤにおける通信は、ＩＰベースであり得る。無線リンク制御（ＲＬＣ）レイヤは、論理チャネル上で通信するために、パケットセグメンテーションおよびリアセンブリを実施し得る。媒体アクセス制御（ＭＡＣ）レイヤは、優先処理（priority handling）、およびトランスポートチャネルへの論理チャネルの多重化を実施し得る。ＭＡＣレイヤはまた、リンク効率を改善するためのＭＡＣレイヤにおける再送信を提供するためにハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートするコアネットワーク１３０または基地局１０５とＵＥ１１５との間のＲＲＣ接続の確立、構成、および管理を提供し得る。物理（ＰＨＹ）レイヤにおいて、トランスポートチャネルは、物理チャネルにマッピングされ得る。
【００２８】
[0042]  ＵＥ１１５は、ワイヤレス通信システム１００全体に分散され得、各ＵＥ１１５は、固定式またはモバイルであり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得るかまたはそれらを含み得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局等であり得る。ＵＥは、マクロｅＮＢ、スモールセルｅＮＢ、リレイ（relay）基地局等を含む様々なタイプの基地局およびネットワーク装置と通信することが可能であり得る。
【００２９】
[0043]  ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信はまた、フォワードリンク送信とも呼ばれ得、一方でアップリンク送信はまた、リバースリンク送信とも呼ばれ得る。いくつかの例では、ＵＬ送信は、アップリンク制御情報の送信を含み得、そのアップリンク制御情報は、アップリンク制御チャネル（例えば、物理アップリンク制御チャネル（ＰＵＣＣＨ）または向上されたＰＵＣＣＨ（ｅＰＵＣＣＨ））上で送信され得る。アップリンク制御情報は、例えば、ダウンリンク送信の肯定応答または非肯定応答、あるいはチャネル状態情報を含み得る。アップリンク送信はまた、データの送信を含み得、そのデータは、物理アップリンク共有チャネル（ＰＵＳＣＨ）または向上されたＰＵＳＣＨ（ｅＰＵＳＣＨ）上で送信され得る。アップリンク送信はまた、サウンディング基準信号（ＳＲＳ）または向上されたＳＲＳ（ｅＳＲＳ）、物理ランダムアクセスチャネル（ＰＲＡＣＨ）または向上されたＰＲＡＣＨ（ｅＰＲＡＣＨ）（例えば、図２Ａおよび図２Ｂを参照して説明されるスタンドアロンモードまたはデュアル接続性モードにおいて）、またはスケジューリング要求（ＳＲ）または向上されたＳＲ（ｅＳＲ）（例えば、図２Ａおよび図２Ｂを参照して説明されるスタンドアロンモードにおいて）の送信を含み得る。ＰＵＣＣＨ、ＰＵＳＣＨ、ＰＲＡＣＨ、ＳＲＳ、またはＳＲへの本開示における参照は、本質的にそれぞれのｅＰＵＣＣＨ、ｅＰＵＳＣＨ、ｅＰＲＡＣＨ、ｅＳＲＳまたはｅＳＲへの参照を含むと見なされる。
【００３０】
[0044]  いくつかの例では、各通信リンク１２５は、１つまたは複数のキャリアを含み得、ここで、各キャリアは、上述した様々な無線技術に従って変調された複数のサブキャリア（例えば、異なる周波数の波形信号）から構成される信号であり得る。各変調信号は、異なるサブキャリア上で送られ得、制御情報（例えば、基準信号、制御チャネル等）、オーバヘッド情報、ユーザデータ等を搬送し得る。通信リンク１２５は、（例えば、ペアのスペクトルリソースを使用した）周波数領域デュプレクシング（ＦＤＤ：frequency domain duplexing）動作、または（例えば、ペアになっていないスペクトルリソースを使用した）時間領域デュプレクシング（ＴＤＤ：time domain duplexing）動作を使用して、双方向通信を送信し得る。ＦＤＤ動作のためのフレーム構造（例えば、フレーム構造タイプ１）およびＴＤＤ動作のためのフレーム構造（例えば、フレーム構造タイプ２）が定義され得る。
【００３１】
[0045]  ワイヤレス通信システム１００のいくつかの態様では、基地局１０５またはＵＥ１１５は、基地局１０５とＵＥ１１５との間の通信品質および信頼性を改善するためにアンテナダイバーシティスキームを用いるためのマルチプルなアンテナを含み得る。追加的に、または代替的に、基地局１０５またはＵＥ１１５は、同じまたは異なるコード化されたデータを搬送する複数の空間レイヤを送信するためにマルチパス環境を活用し得る、多入力多出力（ＭＩＭＯ）技法を用い得る。
【００３２】
[0046]  ワイヤレス通信システム１００は、複数のセルまたはキャリア上での動作、つまりキャリアアグリゲーション（ＣＡ）またはマルチキャリア動作と称され得る特徴を、サポートし得る。キャリアはまた、コンポーネントキャリア（ＣＣ）、レイヤ、チャネル等とも称され得る。「キャリア」、「コンポーネントキャリア」、「セル」および「チャネル」という用語は、ここで置換え可能に使用され得る。ＵＥ１１５は、キャリアアグリゲーションのために複数のダウンリンクＣＣおよび１つまたは複数のアップリンクＣＣで構成され得る。キャリアアグリゲーションは、ＦＤＤおよびＴＤＤコンポーネントキャリアの両方で使用され得る。
【００３３】
[0047]  ワイヤレス通信システム１００はまた、あるいは代替的に、非競合ライセンス無線周波数スペクトルバンド（例えば、無線周波数スペクトルバンドであって、ＬＴＥ／ＬＴＥ−Ａ通信のために使用可能なライセンス無線周波数スペクトルバンドのような、特定の使用のために特定のユーザにその無線周波数スペクトルバンドがライセンスを与えられているので、送信装置がそのためにアクセスを求めて競合しない可能性のある無線周波数スペクトルバンド）または競合ベースの共有無線周波数スペクトルバンド（例えば、アンライセンス無線周波数スペクトルバンドであって、Ｗｉ−Ｆｉ用途のようなアンライセンス用途のためにその無線周波数スペクトルバンドが利用可能であるので、送信装置がそのためにアクセスを求めて競合する必要があり得るアンライセンス無線周波数スペクトルバンド）上での動作をサポートし得る。競合ベースの共有無線周波数スペクトルバンドへのアクセスのための競合に勝つと、送信装置（例えば、基地局１０５またはＵＥ１１５）は、アンライセンス無線周波数スペクトルバンド上で１つまたは複数のチャネル予約信号（例えば、１つまたは複数のＣＵＢＳ）を送信し得る。チャネル予約信号は、アンライセンス無線周波数スペクトルバンド上で検出可能なエネルギを提供することによって、アンライセンス無線周波数スペクトルを予約する働きをし得る。チャネル予約信号はまた、送信装置および／または送信アンテナを識別する働きをし得る、または送信装置および受信装置を同期する働きをし得る。いくつかの例では、チャネル予約信号の送信は、シンボル期間の境界（例えば、ＯＦＤＭシンボル期間の境界）において始まり得る。他の例では、ＣＵＢＳ送信は、シンボル期間の境界の間で（between symbol period boundaries）始まり得る。
【００３４】
[0048]  図１に示されるコンポーネントの数および配置は、例として提供されている。実際には、ワイヤレス通信システム１００は、追加的なデバイス、より少ないデバイス、異なるデバイス、または図１に示されたものとは異なった配置のデバイスを含み得る。追加的に、または代替的に、ワイヤレス通信システム１００のデバイスのセット（例えば、１つまたは複数のデバイス）は、ワイヤレス通信システム１００のデバイスの別のセットによって実施されるものとして説明される１つまたは複数の機能を実施し得る。
【００３５】
[0049]  次に、図２Ａに移ると、図２００は、補足ダウンリンクモード（例えば、ライセンス支援アクセス（ＬＡＡ）モード）の例、および競合ベースの共有スペクトルに拡張されたＬＴＥ／ＬＴＥ−ＡをサポートするＬＴＥネットワークのためのキャリアアグリゲーションモードの例を示す。図２００は、図１のシステム１００の一部の例であり得る。また、基地局１０５−ａは、図１の基地局１０５の例であり得、一方でＵＥ１１５−ａは、図１のＵＥ１１５の例であり得る。
【００３６】
[0050]  図２００における補足ダウンリンクモード（例えば、ＬＡＡモード）の例では、基地局１０５−ａが、ダウンリンク２０５を使用してＯＦＤＭＡ通信信号をＵＥ１１５−ａに送信し得る。ダウンリンク２０５は、アンライセンススペクトルにおける周波数Ｆ１に関連する。基地局１０５−ａは、双方向リンク２１０を使用してＯＦＤＭＡ通信信号を同じＵＥ１１５−ａに送信し得、双方向リンク２１０を使用してそのＵＥ１１５−ａからＳＣ−ＦＤＭＡ通信信号を受信し得る。双方向リンク２１０は、ライセンススペクトルにおける周波数Ｆ４に関連する。アンライセンススペクトルにおけるダウンリンク２０５およびライセンススペクトルにおける双方向リンク２１０は、コンカレントに動作し得る。ダウンリンク２０５は、基地局１０５−ａにダウンリンク容量オフロードを提供し得る。いくつかの実施形態では、ダウンリンク２０５は、ユニキャストサービス（例えば、１つのＵＥに向けられる）サービスのためにまたはマルチキャストサービス（例えば、いくつかのＵＥに向けられる）のために使用され得る。この状況は、ライセンススペクトルを使用し、かつトラフィックおよび／またはシグナリング輻輳のうちのいくらかを緩和する必要がある、いかなるサービスプロバイダ（例えば、伝統的なモバイルネットワークオペレータまたはＭＮＯ）にも起こり得る。
【００３７】
[0051]  図２００におけるキャリアアグリゲーションモードの１つの例では、基地局１０５−ａは、双方向リンク２１５を使用してＯＦＤＭＡ通信信号をＵＥ１１５−ａに送信し得、そして双方向リンク２１５を使用して同じＵＥ１１５−ａからＳＣ−ＦＤＭＡ通信信号を受信し得る。双方向リンク２１５は、アンライセンススペクトルにおける周波数Ｆ１に関連する。基地局１０５−ａはまた、双方向リンク２２０を使用してＯＦＤＭＡ通信信号を同じＵＥ１１５−ａに送信し得、そして双方向リンク２２０を使用して同じＵＥ１１５−ａからＳＣ−ＦＤＭＡ通信信号を受信し得る。双方向リンク２２０は、ライセンススペクトルにおける周波数Ｆ２に関連する。双方向リンク２１５は、基地局１０５−ａにダウンリンクおよびアップリンク容量オフロードを提供し得る。上述された補足ダウンリンク（例えば、ＬＡＡモード）と同様に、この状況は、ライセンススペクトルを使用し、かつトラフィックおよび／またはシグナリング輻輳のうちのいくらかを緩和する必要がある、いかなるサービスプロバイダ（例えば、ＭＮＯ）にも起こり得る。
【００３８】
[0052]  図２００におけるキャリアアグリゲーションモードの別の例では、基地局１０５−ａは、双方向リンク２２５を使用してＯＦＤＭＡ通信信号をＵＥ１１５−ａに送信し得、そして双方向リンク２２５を使用して同じＵＥ１１５−ａからＳＣ−ＦＤＭＡ通信信号を受信し得る。双方向リンク２２５は、アンライセンススペクトルにおける周波数Ｆ３に関連する。基地局１０５−ａはまた、双方向リンク２３０を使用してＯＦＤＭＡ通信信号を同じＵＥ１１５−ａに送信し得、そして双方向リンク２３０を使用して同じＵＥ１１５−ａからＳＣ−ＦＤＭＡ通信信号を受信し得る。双方向リンク２３０は、ライセンススペクトルにおける周波数Ｆ２に関連する。双方向リンク２２５は、基地局１０５−ａにダウンリンクおよびアップリンク容量オフロードを提供し得る。この例および上に提供された例は、例示を目的として提示されており、容量オフロードのために、競合ベースの共有スペクトルを用いないかまたはＬＴＥ／ＬＴＥ−Ａと組み合わせる他の同様の動作のモードまたは展開状況が存在し得る。
【００３９】
[0053]  上述したように、競合ベースのスペクトルに拡張されたＬＴＥ／ＬＴＥ−Ａを使用することによって提供される容量オフロードから恩恵を受け得る典型的なサービスプロバイダは、ＬＴＥスペクトルを用いる伝統的なＭＮＯである。これらのサービスプロバイダに関して、動作構成（operational configuration）は、非競合スペクトル上でＬＴＥプライマリコンポーネントキャリア（ＰＣＣ）を使用し、競合ベースのスペクトル上でＬＴＥセカンダリコンポーネントキャリア（ＳＣＣ）を使用するブートストラップモード（例えば、補足ダウンリンク（例えば、ＬＡＡモード）、キャリアアグリゲーション）を含み得る。
【００４０】
[0054]  補足ダウンリンクモードでは、競合ベースのスペクトルに拡張されたＬＴＥ／ＬＴＥ−Ａに関する制御は、ＬＴＥアップリンク（例えば、双方向リンク２１０のアップリンク部分）上でトランスポートされ得る。ダウンリンク容量オフロードを提供する理由のうちの１つは、データ需要が、主にダウンリンク消費によって引き起こされる（driven by）からである。また、このモードでは、ＵＥがアンライセンススペクトルにおいて送信していないので、規制影響（regulatory impact）がない可能性がある。ＵＥにおいてＬＢＴまたはキャリア検知多元接続（ＣＳＭＡ：carrier sense multiple access）要件をインプリメントする必要はない。しかしながら、ＬＢＴは、例えば、無線フレーム境界にアラインされたグラブアンドリリンキッシュメカニズム（grab-and-relinquish mechanism）および／または周期的な（例えば、１０ミリ秒ごとの）クリアチャネルアセスメント（ＣＣＡ）を使用することによって、基地局（例えば、ｅＮＢ）においてインプリメントされ得る。
【００４１】
[0055]  キャリアアグリゲーションモードでは、データおよび制御は、ＬＴＥ（例えば、双方向リンク２１０、２２０、および２３０）において通信され得、一方、データは、競合ベースの共有スペクトルに拡張されたＬＴＥ／ＬＴＥ−Ａ（例えば、双方向リンク２１５および２２５）において通信され得る。競合ベースの共有スペクトルに拡張されたＬＴＥ／ＬＴＥ−Ａを使用するときにサポートされるキャリアアグリゲーションメカニズムは、ハイブリッド周波数分割複信−時分割複信（ＦＤＤ−ＴＤＤ）キャリアアグリゲーション（a hybrid frequency division duplexing-time division duplexing (FDD-TDD) carrier aggregation）または複数のコンポーネントキャリアにわたって異なる対称性を有するＴＤＤ−ＴＤＤキャリアアグリゲーションに該当し得る。
【００４２】
[0056]  図２Ｂは、競合ベースの共有スペクトルに拡張されたＬＴＥ／ＬＴＥ−Ａに関するスタンドアロンモードの例を例示する図２００−ａを示す。図２００−ａは、図１のシステム１００の一部の例であり得る。また、基地局１０５−ｂは、図１の基地局１０５および図２Ａの基地局１０５−ａの例であり得、一方で、ＵＥ１１５−ｂは、図１のＵＥ１１５および図２ＡのＵＥ１１５−ａの例であり得る。
【００４３】
[0057]  図２００−ａにおけるスタンドアロンモードの例では、基地局１０５−ｂは、双方向リンク２４０を使用してＯＦＤＭＡ通信信号をＵＥ１１５−ｂに送信し得、そして双方向リンク２４０を使用してＵＥ１１５−ｂからＳＣ−ＦＤＭＡ通信信号を受信し得る。双方向リンク２４０は、図２Ａを参照して上述した競合ベースの共有スペクトルにおける周波数Ｆ３に関連する。スタンドアロンモードは、スタジアム内のアクセス（in-stadium access）（例えば、ユニキャスト、マルチキャスト）のような非伝統的なワイヤレスアクセス状況において使用され得る。この動作のモードの典型的なサービスプロバイダの例は、ライセンススペクトルを有さない大企業、企業、ホテル、イベントホスト、ケーブル会社、およびスタジアムオーナーであり得る。これらのサービスプロバイダに関して、スタンドアロンモードのための動作構成は、競合ベースのスペクトル上でＰＣＣを使用し得る。また、ＬＢＴは、基地局とＵＥとの両方でインプリメントされ得る。
【００４４】
[0058]  いくつかの例では、図１、図２Ａまたは図２Ｂを参照して説明される基地局１０５、２０５または２０５−ａのうちの１つ、または図１、図２Ａまたは図２Ｂを参照して説明されるＵＥ１１５、２１５、２１５−ａ、２１５−ｂ、または２１５−ｃのうちの１つのような送信装置は、競合ベースの共有無線周波数スペクトルバンドのチャネルへの（例えば、アンライセンス無線周波数スペクトルバンドの物理チャネルへの）アクセスを獲得するために、ゲーティングインターバル（gating interval）を使用し得る。いくつかの例では、ゲーティングインターバルは、周期的であり得る。例えば、周期的なゲーティングインターバルは、ＬＴＥ／ＬＴＥ−Ａ無線インターバルの少なくとも１つの境界と同期し得る。ゲーティングインターバルは、欧州電気通信標準化機構（ＥＴＳＩ：European Telecommunications Standards Institute）に定められたＬＢＴプロトコルに少なくとも部分的に基づいて、ＬＢＴプロトコルのような競合ベースのプロトコルのアプリケーションを定義し得る。ＬＢＴプロトコルのアプリケーションを定義するゲーティングインターバルを使用するとき、ゲーティングインターバルは、クリアチャネルアセスメント（ＣＣＡ）プロシージャのような競合プロシージャ（例えば、ＬＢＴプロシージャ）を送信装置がいつ実施する必要があるかを示し得る。ＣＣＡプロシージャの結果は、競合ベースの共有無線周波数スペクトルバンドのチャネルがゲーティングインターバル（ＬＢＴ無線フレームとも呼ばれる）について使用されているかまたは利用可能であるかを送信装置に示し得る。ＣＣＡプロシージャが、対応するＬＢＴ無線フレームについてチャネルが利用可能である（例えば、使用について「クリア」である）と示すとき、送信装置は、ＬＢＴ無線フレームの一部またはすべての間、競合ベースの共有無線周波数スペクトルバンドのチャネルを予約または使用し得る。ＣＣＡプロシージャが、チャネルが利用可能でないこと（例えば、チャネルが別の送信装置によって使用または予約されていること）を示すとき、送信装置は、ＬＢＴ無線フレームの間、チャネルを使用することを妨げられ得る。
【００４５】
[0059]  図２Ａおよび図２Ｂに示されたコンポーネントの数および配置は、例として提供されている。実際には、ワイヤレス通信システム２００は、追加的なデバイス、より少ないデバイス、異なるデバイス、または図２Ａおよび図２Ｂに示されたものとは異なった配置のデバイスを含み得る。
【００４６】
[0060]  図３は、本開示の様々な態様による、アンライセンス無線周波数スペクトルバンド上でのワイヤレス通信の例３００の例示である。図３は、ワイヤレス通信がそれ上で発生する競合ベースの共有無線周波数スペクトルバンドのチャネルを、ある時間期間にわたって予約するために、図１または図２を参照して説明された基地局１０５、２０５または２０５−ａのうちの１つまたは複数のような１つまたは複数の基地局によって実施され得るダウンリンククリアチャネルアセスメント（ＣＣＡ）プロシージャ３０２を例示する。基地局による成功したダウンリンクＣＣＡプロシージャ３４５に続いて、基地局は、他の基地局または装置（例えば、ＵＥ、Ｗｉ−Ｆｉアクセスポイント等）に、基地局がチャネルを予約したことを示すインジケーションを提供するために、Ｗｉ−Ｆｉプリアンブル３０４および／またはチャネル使用ビーコン信号（ＣＵＢＳ）３０６（例えば、ダウンリンクＣＵＢＳ（Ｄ−ＣＵＢＳ３５０））のようなプリアンブルを送信し得る。
【００４７】
[0061]  ｅＮＢは次いで、いくつかのダウンリンク（Ｄ）サブフレーム３０８を送信し得る。ｅＮＢは、それが送信することになるＤＬサブフレームの数のインジケーションを送信し得、例えば、図３では、ｅＮＢによって、それが６つのＤサブフレームを送信することになるというインジケーションが提供される。また特別なサブフレーム（Ｓ）３１０も存在し得、それは、例えば、ＤサブフレームとＵサブフレームとの間の遷移サブフレームであり得る。Ｄサブフレームのうちのいくつかは、いくつかのアップリンク（Ｕ）サブフレーム３１２の間にＵＬ通信を送信するための、ＵＥ（１つまたは複数の）へのグラント３１０を含み得る。図３は、２つの異なるＵＥ、ＵＥ１  ３１４およびＵＥ２  ３１６に通信されるＵＬグラントを例示する。ＵＥ１およびＵＥ２は、例えば、図１、図２Ａ、または図２Ｂを参照して上述したＵＥ１１５、２１５、２１５−ａ、２１５−ｂ、または２１５−ｃのうちの１つまたは複数であり得る。ＵＬグラント３１０に基づいて、ＵＥ１  ３１４およびＵＥ２  ３１６は、ＣＣＡまたは拡張されたＣＣＡ（ＥＣＣＡ）プロシージャ３１８を実施し、そして成功したとき、ＵＬグラント３１０に従って、いくつかのＵＬサブフレーム３１２を送信し得る。
【００４８】
[0062]  上に示されたように、図３は例として提供されている。他の例が考えられ、図３に関連して説明されたものとは異なったものであり得る。
【００４９】
[0063]  図４は、本開示の様々な態様による、競合ベースの共有無線周波数スペクトルバンドへのアクセスを求めて競合するときに送信装置によって実施される、ＣＣＡプロシージャ４１５の例４００の例示である。いくつかの例では、ＣＣＡプロシージャ４１５は、図３を参照して説明されたダウンリンクＣＣＡプロシージャ３４５またはアップリンクＣＣＡプロシージャ３６５の例であり得る。ＣＣＡプロシージャ４１５は、固定された持続時間を有し得る。いくつかの例では、ＣＣＡプロシージャ４１５は、ＬＢＴ−ＦＢＥ（LBT-frame based equipment）プロトコルに従って実施され得る。ＣＣＡプロシージャ４１５に続いて、ＣＵＢＳ４２０のようなチャネル予約信号が送信され得、データ送信（例えば、アップリンク送信またはダウンリンク送信）がそれに続く。例として、データ送信は、３つのサブフレームの意図された持続時間４０５および３つのサブフレームの実際の持続時間４１０を有し得る。
【００５０】
[0064]  上に示されたように、図４は例として提供されている。他の例が考えられ、図４に関連して説明されたものとは異なったものであり得る。
【００５１】
[0065]  図５は、本開示の様々な態様による、競合ベースの共有無線周波数スペクトルバンドへのアクセスを求めて競合するときに送信装置によって実施される、ＥＣＣＡプロシージャ５１５の例５００の例示である。いくつかの例では、ＥＣＣＡプロシージャ５１５は、図３を参照して説明されたダウンリンクＣＣＡプロシージャ３４５またはアップリンクＣＣＡプロシージャ３６５の例であり得る。ＥＣＣＡプロシージャ５１５は、ランダムな数のＣＣＡプロシージャを含み得、いくつかの例では、複数のＣＣＡプロシージャを含み得る。ＥＣＣＡプロシージャ５１５は故に、可変の持続時間を有し得る。いくつかの例では、ＥＣＣＡプロシージャ５１５は、ＬＢＴ−ＬＢＥ（LBT-load based equipment）プロトコルに従って実施され得る。ＥＣＣＡプロシージャ５１５は、競合ベースの共有無線周波数スペクトルバンドにアクセスするための競合に勝つことについてのより高い見込みを提供し得るが、より短いデータ送信という潜在的な犠牲を払う。ＥＣＣＡプロシージャ５１５に続いて、ＣＵＢＳ５２０のようなチャネル予約信号が送信され得、データ送信がそれに続く。例として、データ送信は、３つのサブフレームの意図された持続時間５０５および２つのサブフレームの実際の持続時間５１０を有し得る。
【００５２】
[0066]  上に示されたように、図５は例として提供されている。他の例が考えられ、図５に関連して説明されたものとは異なったものであり得る。
【００５３】
[0067]  図６は、基地局／ｅＮＢ１０５およびＵＥ１１５の設計のブロック図を示し、それは、図１における基地局／ｅＮＢのうちの１つおよびＵＥのうちの１つであり得る。ｅＮＢ１０５は、アンテナ６３４ａ〜６３４ｔを装備し得、ＵＥ１１５は、アンテナ６５２ａ〜６５２ｒを装備し得る。ｅＮＢ１０５において、送信プロセッサ６２０は、データソース６１２からデータを、およびコントローラ／プロセッサ６４０から制御情報を受け取り得る。制御情報は、物理ブロードキャストチャネル（ＰＢＣＨ）、物理制御フォーマットインジケータチャネル（ＰＣＦＩＣＨ）、物理ハイブリッド自動再送要求インジケータチャネル（ＰＨＩＣＨ）、物理ダウンリンク制御チャネル（ＰＤＣＣＨ）等のためのものであり得る。データは、物理ダウンリンク共有チャネル（ＰＤＳＣＨ）等のためのものであり得る。送信プロセッサ６２０は、データおよび制御情報を処理（例えば、符号化およびシンボルマッピング）して、データシンボルおよび制御シンボルをそれぞれ取得し得る。送信プロセッサ６２０はまた、例えば、プライマリ同期信号（ＰＳＳ）、セカンダリ同期信号（ＳＳＳ）、およびセル固有の基準信号のための、基準シンボルを生成し得る。送信（ＴＸ）多入力多出力（ＭＩＭＯ）プロセッサ６３０は、適用可能な場合、データシンボル、制御シンボルおよび／または基準シンボルに対して空間処理（例えば、プリコーディング）を実施し得、変調器（ＭＯＤ）６３２ａ〜６３２ｔに出力シンボルストリームを提供し得る。各変調器６３２は、それぞれの出力シンボルストリーム（例えば、ＯＦＤＭ等に関する）を処理して、出力サンプルストリームを取得し得る。各変調器６３２は、出力サンプルストリームをさらに処理（例えば、アナログへ変換、増幅、フィルタ、およびアップコンバート）して、ダウンリンク信号を取得し得る。変調器６３２ａ〜６３２ｔからのダウンリンク信号は、それぞれアンテナ６３４ａ〜６３４ｔを介して送信され得る。
【００５４】
[0068]  ＵＥ１１５において、アンテナ６５２ａ〜６５２ｒは、ｅＮＢ１０５からダウンリンク信号を受信し得、受信された信号を復調器（ＤＥＭＯＤ）６５４ａ〜６５４ｒにそれぞれ提供し得る。各復調器６５４は、それぞれの受信された信号を調整（例えば、フィルタ、増幅、ダウンコンバート、およびデジタル化）して、入力サンプルを取得し得る。各復調器６５４は入力サンプル（例えば、ＯＦＤＭ等に関する）をさらに処理して、受信されたシンボルを取得し得る。ＭＩＭＯ検出器６５６は、すべての復調器６５４ａ〜６５４ｒから、受信されたシンボルを取得し、適用可能な場合、受信されたシンボルに対してＭＩＭＯ検出を実施し、検出されたシンボルを提供し得る。受信プロセッサ６５８は、検出されたシンボルを処理（例えば、復調、デインタリーブ、および復号）し、ＵＥ１１５についての復号されたデータをデータシンク６６０に提供し、復号された制御情報をコントローラ／プロセッサ６８０に提供し得る。
【００５５】
[0069]  アップリンクについては、ＵＥ１１５において、送信プロセッサ６６４は、データソース６６２からの（例えば、物理アップリンク共有チャネル（ＰＵＳＣＨ）に関する）データを、およびコントローラ／プロセッサ６８０からの（例えば、物理アップリンク制御チャネル（ＰＵＣＣＨ）に関する）制御情報を受け取り得るおよび処理し得る。送信プロセッサ６６４はまた、基準信号のための基準シンボルを生成し得る。送信プロセッサ６６４からのシンボルは、適用可能な場合、ＴＸ  ＭＩＭＯプロセッサ６６６によってプリコーディングされ、復調器６５４ａ〜６５４ｒによってさらに処理され（例えば、ＳＣ−ＦＤＭ等に関して）、ｅＮＢ１０５に送信され得る。ｅＮＢ１０５において、ＵＥ１１５からのアップリンク信号は、アンテナ６３４によって受信され、変調器６３２によって処理され、適用可能な場合、ＭＩＭＯ検出器６３６によって検出され、受信プロセッサ６３８によってさらに処理されて、ＵＥ１１５によって送られた、復号されたデータおよび制御情報を取得し得る。プロセッサ６３８は、復号されたデータをデータシンク６４６に、復号された制御情報をコントローラ／プロセッサ６４０に、提供し得る。
【００５６】
[0070]  コントローラ／プロセッサ６４０および６８０は、それぞれｅＮＢ１０５およびＵＥ１１５における動作を指示し得る。コントローラ／プロセッサ６４０および／またはｅＮＢ１０５における他のプロセッサおよびコンポーネントは、ここに説明された技法に関する様々な処理を実施し得るかまたはそれらの実行を命じ得る。コントローラ／プロセッサ６８０および／またはＵＥ１１５における他のプロセッサおよびコンポーネントもまた、図７〜図１３に例示される機能ブロック、および／またはここに説明された技法に関する他の処理を実施し得るかまたはそれらの実行を命じ得る。メモリ６４２および６８２は、それぞれｅＮＢ１０５およびＵＥ１１５に関するデータおよびプログラムコードを記憶し得る。スケジューラ６４４は、ダウンリンクおよび／またはアップリンク上のデータ送信に関してＵＥをスケジューリングし得る。
【００５７】
[0071]  ＵＥのようなデバイスは、信号を受信および／または送信するために使用するためのマルチプルなアンテナ（Ｎ）を有し得る。デバイスは、ＬＴＥ、Ｗｉ−Ｆｉ等のような特定の無線アクセス技術（ＲＡＴ）用に使用するために、特定のキャリア周波数用に使用するために、またはその両方のために、アンテナの使用および割り当てを分割し得る。例えば、デバイスは、デバイスがＷｉ−ＦｉとＬＴＥのような他の技術との両方をサポートするとき、ＣＡのケースでは１つのキャリアのために固定された数のアンテナを使用し得、またはそれはＷｉ−Ｆｉのために固定された数のアンテナを使用し得る。一例では、ＵＥは、４つのアンテナを有し得、それらアンテナのうちの２つをＷｉ−Ｆｉ通信のために割り当て、２つのアンテナをＬＴＥ通信のために割り当て得る。ＵＥのようなデバイスはまた、１つの技術または１つのキャリアのためにいくつかのアンテナを動的にまたは半静的に選択し得る（アンテナ選択）。そのような動的または半静的なスキームでは、共有することまたは選択は、特定の測定結果、例えば、チャネル品質インジケータ（ＣＱＩ）、基準信号受信電力（ＲＳＲＰ）等によってトリガされ得る。
【００５８】
[0072]  ＬＴＥのような通信ネットワークは、周波数分割多重化（ＦＤＭ）インプリメンテーションおよび時分割多重化（ＴＤＭ）インプリメンテーションを有し得る。ＦＤＭインプリメンテーションにおいてオプションを共有することは、異なるアンテナを本当に共有するのではなく、アンテナ上で受信される周波数スペクトルを共有する。例えば、ＵＥは、異なるエアインタフェースについて同じ時間にすべてのアンテナを使用するために、ダイプレクサ／スイッチを使用し得る。ダイプレクサ／スイッチは、望まれない周波数をフィルタ除去することによってフィルタの役割を果たす。しかしながら、そのようなＦＤＭ共有スキームでは、信号がフィルタされるので典型的に信号強度の相当な損失（a considerable loss）が存在する。そのような損失はまた、より高い周波数バンドほど増加する可能性がある。ＴＤＭインプリメンテーションは、実際にエアインタフェース／技術ごとに別々のアンテナを使用または割り当て得る。したがって、そのようなエアインタフェース／技術上での通信が使用されていないとき、使用されない通信に割り当てられたまたは指定されたそれらのアンテナは、他のエアインタフェース／技術と共有され得る。本開示の様々な態様は、ＴＤＭインプリメンテーションを使用する通信システムを対象とする。
【００５９】
[0073]  ＬＴＥ−Ｕでは、ｅＮＢとＵＥとの両方が、チャネルにアクセスするためにＣＣＡを実施する。ＤＬ送信については、ｅＮＢは、送信する前にＣＣＡを実施することによって媒体をキャプチャしなければならない。同様に、ＵＥは、ＵＬデータを送信するためにＣＣＡプロシージャを実施しなければならない。ｅＮＢおよびＵＥは、異なるアクセスプロシージャおよびＬＢＴメカニズムを使用し得る。加えて、ｅＮＢによって経験される干渉条件は、ＵＥによって経験されるものとは異なり得る。
【００６０】
[0074]  時に、ＵＥは、それがｅＮＢからＵＬグラントを受信するまで、ＣＣＡ動作を実施することを待つことを要求され得る。またある時には、ＵＥは、ＵＬグラントを受信することなくＣＣＡを実施することによって、チャネルを求めて競合し得る。ＵＥがＵＬグラントを待つか否かに関わらず、ＵＥは、ｅＮＢから独立してＣＣＡを実施する。
【００６１】
[0075]  ここに提示される様々な態様は、ｅＮＢがＵＥのチャネルアクセスプロシージャのパラメータを制御し得るメカニズムを提供する。ｅＮＢは、少なくとも１つのＣＣＡパラメータのインジケーションをＵＥに送信する。ＵＥは、ｅＮＢから（１つまたは複数の）ＣＣＡパラメータを受信し、（１つまたは複数の）示されたパラメータに基づいて、ＣＣＡを実施する。ｅＮＢによるＣＣＡプロシージャのクローズドループ制御は、ＵＥによるＣＣＡプロシージャにおいてより優れた効率を提供する。ｅＮＢは、それ自身の知識に基づいて、ＵＥによって使用されるためのＣＣＡパラメータを決定し得る、および／または、ｅＮＢは、ＵＥのためのＣＣＡパラメータを決定するために、ＵＥによって提供される情報を使用し得る。
【００６２】
[0076]  図７は、本開示に従って、ＵＥ７０２とｅＮＢ７０４との間の例示的なインタラクションを例示する。ＵＥ７０２は、図６におけるＵＥ１１５、または図９および図１０における装置９０２／９０２’であり得る。ｅＮＢ７０４は、図６におけるｅＮＢ１０５、または図１２および図１３における装置１２０２／１２０２’であり得る。
【００６３】
[0077]  ７１０において、ＵＥ７０２は、オプションとして１つまたは複数の報告をｅＮＢ７０４に送信し得る。ｅＮＢは、ＵＥに送るためのＣＣＡパラメータを決定する際に、ＵＥからの１つまたは複数の報告内の情報を使用し得る。１つまたは複数の報告は、ＵＥの特性、性能、およびまたは検出されたチャネル条件を識別し得る。例えば、ＵＥは、ＵＥによって受信されるＷｉ−Ｆｉパケットのタイプ、干渉測定値（interference measurements）、ＣＣＡクリアランス統計値等を報告し得る。ＵＥはまた、例えば、１つまたは複数のＲＡＴについての、他の観察された情報も使用し得、ｅＮＢに送るためのＣＣＡパラメータを決定するために、この観察された情報を使用し得る。例えば、ＵＥは、（１つまたは複数の）ＲＡＴについての平均（average）／平均（mean）／中央値（median）ＲＳＳＩおよび／または受信信号強度インジケータ（ＲＳＳＩ）の累積分布関数（ＣＤＦ：cumulative distribution function）を受信し得る。ＵＥは、観察された時間の何割でチャネルＲＳＳＩが（１つまたは複数の）ＲＡＴについてのしきい値を上回るかを考慮し得る。ＵＥはまた、他の技術のディスカバリ信号も観察し得る。
【００６４】
[0078]  ７０６において、ｅＮＢ７０４は、少なくとも１つのＣＣＡパラメータのインジケーションをＵＥ７０２に送信する。ＣＣＡパラメータは、ＵＬグラント、ＤＬグラント、複数のＵＥを対象とするブロードキャスト、ＲＲＣメッセージ、またはＭＡＣ制御要素のいずれにおいてもＵＥに送信され得る。
【００６５】
[0079]  ７０８において、ｅＮＢからの送信を受信した後、ＵＥは、ｅＮＢによって示されたパラメータに基づいて、１つのまたは複数のＣＣＡを実施する。例として、ｅＮＢによって示されたパラメータは、成功したＣＣＡ（successful CCA）のためのしきい値、ならびに不成功のＣＣＡに後続するバックオフを含むＣＣＡプロシージャの様々な態様に影響し得る。ＵＥは、ｅＮＢからのインジケーションを尊重するか否か最初に決定し得る。例えば、ＵＥは、ＣＣＡを実施するために、示されたＣＣＡパラメータのすべてを使用し得る。ＵＥは、示されたＣＣＡパラメータのいずれも使用せず、代わりにＣＣＡのための他のパラメータを使用することを決定し得る。ＵＥは、ＣＣＡのための示されたパラメータのすべてではないが一部を使用することを決定し得る。
【００６６】
[0080]  これは、いくつかの方法のいずれにおいても成され得る。一例では、ＵＥは、ｅＮＢにおける情報が古くなっている（outdated）ことを決定または考慮し得る。例えば、ＵＥがある特定のＬＢＴ優先順位クラスのトラフィックを送信する必要がある場合、ｅＮＢのＬＢＴパラメータは、このトラフィックが多重化されることを可能にしない可能性がある。この限定は、ｅＮＢが利用可能な最新のバッファステータス報告（ＢＳＲ）を有さないので、例えば、３ＧＰＰにおける多重化ルールに基づき得る。またＢＳＲは、異なる優先順位クラスにわたるトラフィックの分配（split）を示さない可能性がある（may not tell）。故に、ｅＮＢがそのような限定を伴うＣＣＡについてのパラメータを示すとき、ＵＥは、ｅＮＢからのこれらのＣＣＡパラメータの少なくとも一部をオーバーライドし、代わりにそれ自身の決定されたパラメータを使用することを決定し得る。
【００６７】
[0081]  第２の例は、クロスキャリアスケジューリングベースのＵＬ送信を含み得る。この例では、ｅＮＢは、数ｍｓ早くグラントにおいてＣＣＡパラメータを送り得るが、アンライセンスキャリアにおける変化した状況に起因して、ＵＥは、ｅＮＢのグラントのパラメータに従う（follow）ことができない可能性がある。この例では、ＵＥは、ｅＮＢからのＣＣＡパラメータの少なくとも一部を無視（disregard）することを決定し得る。
【００６８】
[0082]  別の例では、ＵＥは、ＵＥにおけるインデバイス共存（ＩＤＣ：in-device coexistence）要件が原因で、ｅＮＢから受信されたＣＣＡパラメータを使用しないことを決定し得る。ｅＮＢから受信されたＣＣＡパラメータとＵＥのＩＤＣ要件との間にコンフリクトが存在するとき、ＵＥは、ｅＮＢからのＣＣＡパラメータの少なくとも一部を無視（ignore）することを決定し得る。
【００６９】
[0083]  図８は、ワイヤレス通信の方法のフローチャート８００である。この方法は、ｅＮＢ（例えば、ｅＮＢ１０５、７０４、装置９０２／９０２’）によって実施され得る。図８のオプションの態様は、破線を使用して例示される。
【００７０】
[0084]  ８０２において、ｅＮＢは、１つまたは複数のＲＡＴについてのワイヤレス通信に関する情報を受信する。ｅＮＢは、オプションとして、例えば、８０８においてＵＥに送るためのＣＣＡパラメータを決定することに先立って、８０４において、少なくとも１つのＵＥから１つまたは複数の報告を受信し得る。報告は、ｅＮＢによるＣＣＡパラメータの選択に影響を与え得るＵＥの特性またはチャネル条件についての情報を提供し得る。ｅＮＢは、１つまたは複数のＲＡＴについてのトラフィックを観察することによって、情報を受信し得る。８０６において、ＵＥは、チャネル条件等を決定するために、トラフィック、少なくとも１つのＲＡＴを観察し得る。
【００７１】
[0085]  ８０８において、ｅＮＢは、ＵＬ送信のためのＣＣＡプロシージャを実施する際に少なくとも１つのＵＥによって使用されるための（１つまたは複数の）ＣＣＡパラメータを決定する。
【００７２】
[0086]  ８１０において、ｅＮＢは、（１つまたは複数の）ＣＣＡパラメータのインジケーションをＵＥに送信する。
【００７３】
[0087]  代替的な態様では、ｅＮＢは、（８０８において）ＵＥのためのＣＣＡパラメータのセットを決定し得、（８１０において）ＣＣＡパラメータのセットをＵＥに送信し得る。ＣＣＡパラメータのセットは、ＣＣＡプロシージャの異なる態様に影響する１つまたは複数のＣＣＡパラメータを含み得る。
【００７４】
[0088]  ＣＣＡを実施することの一部として、ＵＥは、意図されたチャネル上のエネルギを検知する。ＵＥによって検知されるエネルギが、ここでＣＣＡしきい値と称されるある特定の量を下回るとき、ＵＥは、ＣＣＡの目的についてチャネルがクリアであると決定し得る。一例では、ＣＣＡパラメータは、ＵＥによって使用されることになるＣＣＡしきい値を備え得る。これは、異なるＣＣＡスロットが異なるしきい値を有するように、スロットごとにＣＣＡしきい値を含み得る。例えば、ＣＣＡパラメータは、最後の数ＣＣＡスロット（the last few CCA slots）または最後のＣＣＡスロットが異なるＣＣＡしきい値を有することを示し得る。
【００７５】
[0089]  異なるスロットについて異なるＣＣＡしきい値を示すことに加えて、ＣＣＡパラメータはまた、ＣＣＡしきい値が送信番号（transmission number）に基づいて変化するべきであることを示し得る。例えば、ＵＥは、それの最初のＣＣＡ送信においてチャネルをクリアするとき（when clearing the channel）、より低いＣＣＡしきい値を使用し得る。ｅＮＢは、ＵＥが、追加的なＣＣＡ送信についてＣＣＡしきい値を増加させるべきであることを示し得る。増加は、ＵＥがＣＣＡをパスするまで、ＵＥがＣＣＡ送信を行うたびに発生し得る。
【００７６】
[0090]  別の例では、ＣＣＡパラメータは、バックオフスキームのインジケーションを備え得る。
【００７７】
[0091]  バックオフは、別のＣＣＡ送信をいつ実施するかを決定するためにＵＥによって使用され得る。最初のＣＣＡに失敗した後、ＵＥは、別のＣＣＡ送信を送る前に、ある特定の数のスロット待ち得る。スロットの数は、ランダムな数、例えばＮ、に基づき得る。ＵＥがＣＣＡプロシージャに続けて失敗する場合、ＵＥは、試みと試みの間のスロットの数Ｎを増加させ得る。例えば、ＣＣＡパラメータは、ＵＥが、線形バックオフスキームを使用するべきかまたは指数関数バックオフスキームを使用するべきかを示し得る。線形バックオフスキームでは、ＵＥは、連続的な（sequential）不成功のＣＣＡの試みの数に基づいて、直線的に後続のＣＣＡ動作間のスロットの数を増加させ得る。例えば、ＵＥは、一定値Ｎだけ、後続のＣＣＡ動作間のスロットの数を増加させ得る。ｅＮＢが指数関数バックオフスキームを示す場合、これはＵＥに、連続的な不成功のＣＣＡの試みの数に基づいて、指数関数的に後続のＣＣＡ動作間のスロットの数を増加させることを指示する。この例では、ＵＥは、後続の不成功のＣＣＡ動作間のスロットの数を累乗Ｎ分増加させ得る（それは、例えば、不成功のＣＣＡの試み間（between unsuccessful CCA attempts）の待ち時間を連続的に倍にし得る）。
【００７８】
[0092]  ＣＣＡパラメータは、ＵＥがシンプルなＣＣＡプロシージャを実施するべきかまたは拡張されたＣＣＡプロシージャを実施するべきかを示し得る。シンプルなＣＣＡプロシージャは、例えば、単一の試みのＣＣＡプロシージャを備え得る。拡張されたＣＣＡプロシージャは、最初のＣＣＡ送信が失敗し、バックオフプロシージャを組み込むとき、ＵＥが複数のＣＣＡ送信を行うことに関わり得る。
【００７９】
[0093]  ＣＣＡパラメータはまた、ＵＥがいずれのＣＣＡプロシージャも実施することなく送信を始めるべきであることを示し得る。
【００８０】
[0094]  バックオフスキームはまた、チャネルの関数であり得る。例えば、より高い優先順位が、ディスカバリ基準信号（ＤＲＳ）のために使用され得る。同様のメカニズムが、ＵＬ上のＰＲＡＣＨ、ＳＲＳ、またはＰＵＣＣＨに適用可能であり得る。これらの送信は、より高い優先順位を有し得、異なるＣＣＡパラメータに割り当てられ得る。したがって、ＣＣＡパラメータは、チャネルアクセススキームのインジケーションを備え得、ここで、示されるチャネルアクセススキームは、異なるＣＣＡパラメータを異なるＵＬチャネルに割り当て得る。
【００８１】
[0095]  別の例では、ＣＣＡパラメータは、ＣＣＡのためのスロットの少なくとも一部についての持続時間を備え得る。ＣＣＡパラメータは、ＣＣＡスロットのすべてについての、またはいくつかの特定のＣＣＡスロットについての持続時間を示し得る。例えば、ＣＣＡパラメータは、最後のＣＣＡスロットが他のＣＣＡスロットよりも長い持続時間を有することを示し得る。最後のＣＣＡスロットの持続時間を変更することは、ＵＥがＷｉ−Ｆｉ干渉を避けることを助け得る。
【００８２】
[0096]  別の例では、ＣＣＡパラメータは、特定の予約信号タイプを尊重するかどうかのインジケーションを備え得る。とりわけ、そのような予約信号タイプは、Ｗｉ−Ｆｉ予約信号、ＵＥ展開に関連する予約信号、または別のライセンス支援アクセス展開に関連する予約信号のうちの少なくとも１つを含み得る。Ｗｉ−Ｆｉプリアンブルは、パケット送信の長さに関する情報を搬送する。ＵＥがそのようなＷｉ−Ｆｉプリアンブルを受信するとき、それはＷｉ−Ｆｉパケットの示された持続時間の間に送信しないことによって、そのプリアンブルを尊重し得る。ある特定の状況では、ＵＥは、Ｗｉ−Ｆｉプリアンブルを無視し、示された送信の間に送信し得る。ＵＥは、Ｗｉ−Ｆｉパケットを尊重することができる、またはそのようなＷｉ−Ｆｉパケット送信を無視することができる。ｅＮＢは、ＵＥがＷｉ−Ｆｉノードからのそのような予約信号を尊重するべきかどうかＣＣＡパラメータを介してＵＥに指示し得る。ｅＮＢらかのＣＣＡパラメータは、ＵＥがそれ自身の展開および／または他のＬＡＡ展開に対応するそのような予約信号を尊重するべきかどうかを示し得る。
【００８３】
[0097]  別の例では、インジケーションは、ＣＣＡしきい値に間接的に影響を与える送信電力に関する情報を備え得る。例えば、情報は、最大送信電力または送信電力の変化を備え得る。ＣＣＡしきい値は、最大送信電力の関数であり得る。したがって、最大送信電力のインジケーションが、ＵＥに、ＣＣＡプロシージャのためにそれが使用するべきＣＣＡしきい値を知らせるために、使用され得る。
【００８４】
[0098]  別の例では、ＣＣＡパラメータは、Ｗｉ−Ｆｉチャネル使用ビーコン信号（Ｗ−ＣＵＢＳ）を送信するかどうかのインジケーションを備え得る。Ｗｉ−Ｆｉプリアンブルは、Ｗｉ−ＦｉコンポーネントとＬＴＥコンポーネントとの両方を含み得るＬＴＥ−ＵのためのＣＵＢＳとして構成され得る。ＣＣＡパラメータは、ＵＥに、それがそのようなＷ−ＣＵＢＳを送信するべきかどうかを示し得る、およびＵＥがＷ−ＣＵＢＳの特定の部分を送信するべきかどうかを示し得る。例えば、ＣＣＡパラメータは、ＵＥが、Ｗ−ＣＵＢＳのＷｉ−Ｆｉ部分および／またはＷ−ＣＵＢＳのＬＴＥ部分を送信するべきかどうかを示し得る。ｅＮＢからのこのインジケーションは、ＵＥが不必要な送信を無駄にすることを避けることを助け得る。例えば、ｅＮＢがそのエリアにはＷｉ−Ｆｉノードがないことを知っている場合、ｅＮＢは、ＵＥがＷ−ＣＵＢＳの不必要な部分を送信することを止め得る。
【００８５】
[0099]  別の例では、ＣＣＡパラメータは、競合ベースのアクセスがＵＬ送信について可能にされているかどうかを示し得る。競合ベースのアクセスが可能にされているとき、ＵＥは、ｅＮＢからのＵＬグラントなしに、チャネルを求めて競合することができる。したがって、競合ベースのアクセスが可能にされているか否かＵＥに示すことによって、ｅＮＢは、ＵＥに、それがＣＣＡを実施する前にＵＬグラントを待つべきかどうか、またはそれがＵＬグラントを待つことなしにＣＣＡ動作を実施し始めることができるかどうか知らせる。さらに、複数のＵＬグラントが異なるＵＥに送られ得る。ＵＥは次いで、それらのＵＬグラントに従って、送信するための能力（ability）を求めて競合し得る。このように、ＣＣＡパラメータは、ｅＮＢがそのような競合ベースのアクセスを可能にしているか否かＵＥに示し得る。
【００８６】
[00100]  別の例では、ＣＣＡパラメータは、ＵＬ  ＣＣＡ免除送信（ＵＬ−ＣＥＴ）が可能にされているかどうかを示し得る。例えば、各ノードは、それがクリアであることを確実にするためにチャネルを検知することなくそれらが送信し得るデューティーサイクルのわずかな比率、例えば、おおよそ５％を有し得る。ｅＮＢは、ＵＥがそのようなＵＬ−ＣＥＴ送信を実施することができるか否かを制御し得る。このタイプの送信は、データ送信よりも、より高い優先順位の送信のために予約され得る。
【００８７】
[00101]  一例では、ＣＣＡパラメータのインジケーションは、ＵＬグラントにおいて、またはＤＬグラントにおいて、ＵＥに送信され得る。別の例では、ＣＣＡパラメータは、ＲＲＣシグナリングを使用してＲＲＣメッセージにおいてＵＥに送信され得る。別の例では、ＣＣＡパラメータは、ＭＡＣ制御要素を使用してＵＥに送信され得る。例えば、ＣＣＡしきい値の増加／減少、複数のスロットの一部について特別なＣＣＡスロット持続時間および／またはしきい値を可能にすること、Ｗ−ＣＵＢＳ送信等のいずれかに関わるＣＣＡパラメータは、ＵＬグラントにおいてＵＥに示され得る。他のＣＣＡパラメータは、ＲＲＣシグナリングまたはＭＡＣ制御要素を使用して示され得る。
【００８８】
[00102]  ８０４における送信は、ｅＮＢから特定のＵＥへ向けられ得る。この例は、異なるＣＣＡパラメータが異なるＵＥに送信されることを可能にする。
【００８９】
[00103]  あるＣＣＡパラメータはサブフレームごとにまたはグラントごとに動的に制御され得、一方で他のパラメータは、半静的に制御され得る。単一のＣＣＡパラメータが、ＵＥに送信され得る。交替に、複数のＣＣＡパラメータが、ＵＥに提供され得る。
【００９０】
[00104]  単一のＵＥに送信されるのではなく、（１つまたは複数の）ＣＣＡパラメータは、複数のＵＥに送られ得る。（１つまたは複数の）ＣＣＡパラメータは、複数のＵＥにブロードキャストされ得る。ブロードキャストＣＣＡパラメータ情報は、例えば、アンライセンススペクトル専用のシステム情報ブロック（ＳＩＢ）を使用して送信され得る。一例では、ＣＣＡパラメータのブロードキャストは、共通ＲＲＣメッセージの一部としてのブロードキャストまたはＵＥのグループに知られている無線ネットワーク一時識別子（ＲＮＴＩ）を伴う新しいＤＬ制御情報（ＤＣＩ）フォーマットに関わり得る。
【００９１】
[00105]  ｅＮＢは、（１つまたは複数の）共通ＣＣＡパラメータのインジケーションをＵＥの定義されたグループに送信し得る。（１つまたは複数の）共通ＣＣＡパラメータは、ブロードキャストとして、または個別に、定義されたグループにおけるＵＥの各々に送信され得る。定義されたグループは、ＦＤＭまたは複数のユーザＭＩＭＯ（ＭＵ−ＭＩＭＯ）動作のためにグループ化されたＵＥのセットを備え得る。ＵＥのグループに共通ＣＣＡパラメータを提供することによって、ＵＥが同じセットのＣＣＡパラメータを有するようになることを確実にする。
【００９２】
[00106]  ＵＥは、ＵＥのいくつかの定義されたグループの一部であり得、ＵＥの各定義されたグループは、共通ＣＣＡパラメータのそれ自身のセットを有し得る。したがって、ｅＮＢは、ＣＣＡパラメータの複数のセットを単一のＵＥに送信し得、各セットは少なくとも１つのＣＣＡパラメータを含む。
【００９３】
[00107]  ｅＮＢは、単一のＣＣＡパラメータのインジケーションを（１つまたは複数の）ＵＥに送信し得る。代替的に、ｅＮＢは、複数のＣＣＡパラメータをＵＥに示し得る。したがって、ｅＮＢからの送信は、ここに説明されるＣＣＡパラメータのいかなる組合せも含み得る。
【００９４】
[00108]  ＵＥから１つの報告を受信することに加えて、ｅＮＢは、例えば、複数のＵＥから複数の報告を受信し得る。これらの報告は、ＵＬ送信のためのｅＮＢにおけるＣＣＡパラメータの選択に影響を与え得る。例えば、ｅＮＢは、ＲＴＳ（ready to send）／ＣＴＳ（clear to send）／ＣＴＳ２Ｓ（clear to send to self）等のＵＥによって受信されるＷｉ−Ｆｉパケットのタイプの報告を受信し得る。別の例では、ｅＮＢは、干渉測定値を備える報告を受信し得る。報告は、ＤＬ送信のための干渉測定報告を備え得る。別の例では、報告は、ＵＬについてのＣＣＡクリアランス統計値を備え得る。新しいプロシージャまたは測定オブジェクション（procedure or measurement objection）が、そのようなＣＣＡ統計値を報告するために定義され得る。したがって、ｅＮＢは、ＣＣＡパラメータをＵＥに送ることによってＵＥのＣＣＡ動作を制御するためにＵＥからの報告を使用し得る。
【００９５】
[00109]  図９は、例示的な装置９０２における異なる手段／コンポーネント間のデータフローを例示する概念的データフローダイアグラム９００である。装置は、ｅＮＢであり得る。装置は、少なくとも１つのＵＥ９５０から送信９０１を受信する受信コンポーネント９０４、および（１つまたは複数の）ＵＥ９５０に推奨されたＣＣＡパラメータおよび他のダウンリンク通信のような通信９０３を送信する送信コンポーネント９０６を含む。装置は、１つまたは複数のＲＡＴについてのワイヤレス通信に関する情報を受信するＲＡＴ情報コンポーネント９０８を含む。装置は、受信された情報に基づいて、例えばＵＬ送信についてＣＣＡプロシージャを実施する際にＵＥによって使用されることになるＣＣＡパラメータを決定する、ＣＣＡパラメータ決定コンポーネントを含む。ＣＣＡパラメータ決定コンポーネントは、ＵＥのチャネル条件および／または性能を示す、ＵＥから受信された１つまたは複数の報告からの情報に基づいて、ＣＣＡパラメータを決定し得る。ＣＣＡパラメータ決定コンポーネントは、複数のＲＡＴについてのトラフィック観察に基づいて、ＣＣＡパラメータを決定し得る。一旦ＣＣＡパラメータが決定されると、ＣＣＡパラメータ決定コンポーネント９１０は、決定されたＣＣＡパラメータのインジケーションの少なくとも１つのＵＥへの送信のために、送信コンポーネントにＣＣＡパラメータを提供する。
【００９６】
[00110]  ＣＣＡパラメータは、ＵＬグラントまたはＤＬグラントにおいて、装置９０２から（１つまたは複数の）ＵＥ９５０に送信され得る。ＣＣＡパラメータは、ＭＡＣ制御要素としてまたはＲＲＣメッセージにおいて送信され得る。ＣＣＡパラメータは特定のＵＥへの送信において通信され得るが、それはまた、複数のＵＥにも送信され得る。一例では、ＣＣＡパラメータは、複数のＵＥ９５０にブロードキャストされ得る。複数のＵＥへＣＣＡパラメータをブロードキャストするための方法の中のでもとりわけ、それは共通ＲＲＣメッセージの一部としてブロードキャストされ得るまたはＵＥのグループに知られているＲＮＴＩを伴う新しいＤＣＩフォーマットによってブロードキャストされ得る。
【００９７】
[00111]  装置は、（１つまたは複数の）ＵＥ９５０からの送信において情報を受信し得る。とりわけ、報告は、ＵＥによって受信されるＷｉ−Ｆｉパケットのタイプ、干渉測定値、および／またはＣＣＡクリアランス統計値を含み得る。ＣＣＡパラメータ決定コンポーネント９１０は、ＣＣＡパラメータの決定の少なくとも一部において、報告に含まれる情報を使用し得る。
【００９８】
[00112]  装置は、図８の前述のフローチャートにおけるアルゴリズムのブロックの各々を実施する追加的なコンポーネントを含み得る。したがって、図８の前述のフローチャートにおける各ブロックは、１つのコンポーネントによって実施され得、装置は、それらのコンポーネントのうちの１つまたは複数を含み得る。これらコンポーネントは、述べられたプロセス／アルゴリズムを実行するように特に構成された１つまたは複数のハードウェアコンポーネントであるか、述べられたプロセス／アルゴリズムを実施するよう構成されたプロセッサによってインプリメントされるか、プロセッサによるインプリメンテーションのためにコンピュータ読み取り可能な媒体内に記憶されるか、またはこれらの何らかの組合せであり得る。
【００９９】
[00113]  図１０は、処理システム１０１４を用いる装置９０２’についてのハードウェアインプリメンテーションの例を例示する図１０００である。処理システム１０１４は、概してバス１０２４によって表されるバスアーキテクチャを用いてインプリメントされ得る。バス１０２４は、処理システム１０１４の特定の用途および全体的な設計制約に応じて、相互接続バスおよびブリッジをいくつでも含み得る。バス１０２４は、プロセッサ１００４、コンポーネント９０４、９０６、９０８、９１０およびコンピュータ読み取り可能な媒体／メモリ１００６によって表される、１つまたは複数のプロセッサおよび／またはハードウェアコンポーネントを含む様々な回路を互いにリンクする。バス１０２４はまた、タイミングソース、周辺機器、電圧レギュレータ、および電力管理回路のような、様々な他の回路もリンクさせ得るが、これらは当該技術で周知であるため、これ以上説明されることはない。
【０１００】
[00114]  処理システム１０１４は、トランシーバ１０１０に結合され得る。トランシーバ１０１０は、１つまたは複数のアンテナ１０２０に結合される。トランシーバ１０１０は、送信媒体を介して様々な他の装置と通信するための手段を提供する。トランシーバ１０１０は、１つまたは複数のアンテナ１０２０から信号を受信し、受信された信号から情報を抽出し、抽出された情報を処理システム１０１４に、特に受信コンポーネント９０４に提供する。加えて、トランシーバ１０１０は、処理システム１０１４、特に送信コンポーネント９０６から情報を受信し、その受信された情報に基づいて、１つまたは複数のアンテナ１０２０に適用される信号を生成する。処理システム１０１４は、コンピュータ読み取り可能な媒体／メモリ１００６に結合されたプロセッサ１００４を含む。プロセッサ１００４は、コンピュータ読み取り可能な媒体／メモリ１００６に記憶されたソフトウェアの実行を含む一般的な処理を担う。ソフトウェアは、プロセッサ１００４によって実行されたとき、処理システム１０１４に、任意の特定の装置に関して上で説明した様々な機能を実施させる。コンピュータ読み取り可能な媒体／メモリ１００６はまた、ソフトウェアを実行するときにプロセッサ１００４によって操作されるデータを記憶するために使用され得る。処理システムはさらに、コンポーネント９０４、９０６、９０８、および９１０のうちの少なくとも１つを含む。これらのコンポーネントは、プロセッサ１００４上で動作するかコンピュータ読み取り可能な媒体／メモリ１００６に存在（resident）／記憶されたソフトウェアコンポーネントか、プロセッサ１００４に結合された１つまたは複数のハードウェアコンポーネントか、またはそれらの何らかの組合せであり得る。処理システム１０１４は、ｅＮＢ１０５のコンポーネントであり得、メモリ６４２および／またはＴＸプロセッサ６２０、ＲＸプロセッサ６３８、およびコントローラ／プロセッサ６４０のうちの少なくとも１つを含み得る。
【０１０１】
[00115]  一構成では、ワイヤレス通信のための装置９０２／９０２’は、ＵＬ送信のためのＣＣＡプロシージャを実施する際にＵＥによって使用されるためのＣＣＡパラメータを決定するための手段と、ＣＣＡパラメータのインジケーションをＵＥに送信するための手段とを含む。装置９０２／９０２’は、ＵＥから報告を受信するための手段を含み得る。例えば、報告は、ＵＥによって受信されるＷｉ−Ｆｉパケットのタイプ、干渉測定報告、およびＣＣＡクリアランス統計値のうちの少なくとも１つを備え得る。ＣＣＡパラメータを決定するための手段は、受信された報告を少なくとも部分的に使用してＣＣＡパラメータを決定し得る。前述の手段は、前述の手段によって記載された機能を実施するように構成された装置９０２’の処理システム１０１４および／または装置９０２の前述のコンポーネントのうちの１つまたは複数であり得る。上に説明されたように、処理システム１０１４は、ＴＸプロセッサ６２０、ＲＸプロセッサ６３８、およびコントローラ／プロセッサ６４０を含み得る。したがって、１つの構成では、前述の手段は、前述の手段によって記載された機能を実施するよう構成されたＴＸプロセッサ６２０、ＲＸプロセッサ６３８、およびコントローラ／プロセッサ６４０であり得る。
【０１０２】
[00116]  図１１は、ワイヤレス通信の方法のフローチャート１１００である。方法は、ＵＥ（例えば、ＵＥ１１５、７０２、装置１２０２／１２０２’）によって実施され得る。
【０１０３】
[00117]  １１０６において、ＵＥは、ＣＣＡパラメータのインジケーションを受信することに先立ってｅＮＢに報告を送信し得る。とりわけ、そのような報告は、ＣＣＡパラメータのインジケーションを受信することに先立って、受信されたＷｉ−Ｆｉパケットのタイプ、ＤＬ送信のための干渉測定報告、およびＣＣＡクリアランス統計値のうちの少なくとも１つを備え得る。報告は、図８の項目８０２および８０８に関連して説明されたように、ＵＥに送るためのＣＣＡパラメータインジケーションをｅＮＢが決定することを支援し得る。
【０１０４】
[00118]  １１０２において、ＵＥは、ＵＬ送信のためのＣＣＡプロシージャを実施する際に使用するためのＣＣＡパラメータのインジケーションを受信する。代替的な態様では、ＵＥは、ＣＣＡパラメータのセットを受信し得、ここでＣＣＡパラメータのセットは、ＣＣＡプロシージャの異なる態様に影響する１つまたは複数のＣＣＡパラメータを含み得る。
【０１０５】
[00119]  １１０４において、ＵＥは、ＵＬ送信のためのＣＣＡプロシージャを実施する際に少なくとも１つのＣＣＡパラメータを使用するかどうかを決定する。この決定は、ＵＥが、ｅＮＢにおける情報が古くなっている、ｅＮＢがＣＣＡパラメータを送ってから状況が変化した、および／またはＣＣＡパラメータとＵＥの他の要件との間にコンフリクトが存在する、と決定することに基づき得る。
【０１０６】
[00120]  これは、いくつかの方法のいずれにおいても成され得る。一例では、ＵＥは、ｅＮＢにおける情報が古くなっていることを決定または考慮し得る。例えば、ＵＥがある特定のＬＢＴ優先順位クラスのトラフィックを送信する必要がある場合、ｅＮＢのＬＢＴパラメータは、このトラフィックが多重化されることを可能にしない可能性がある。この限定は、ｅＮＢが利用可能な最新のバッファステータス報告（ＢＳＲ）を有さないので、例えば、３ＧＰＰにおける多重化ルールに基づき得る。またＢＳＲは、異なる優先順位クラスにわたるトラフィックの分配を示さない可能性がある。故に、ｅＮＢがそのような限定を伴うＣＣＡについてのパラメータを示すとき、ＵＥは、ｅＮＢからのこれらのＣＣＡパラメータの少なくとも一部をオーバーライドし、代わりにそれ自身の決定されたパラメータを使用することを決定し得る。
【０１０７】
[00121]  第２の例は、クロスキャリアスケジューリングベースのＵＬ送信を含み得る。この例では、ｅＮＢは、数ｍｓ早くグラントにおいてＣＣＡパラメータを送り得るが、アンライセンスキャリアにおける変化した状況に起因して、ＵＥは、ｅＮＢのグラントのパラメータに従うことができない可能性がある。この例では、ＵＥは、ｅＮＢからのＣＣＡパラメータの少なくとも一部を無視することを決定し得る。
【０１０８】
[00122]  別の例では、ＵＥは、ＵＥにおけるインデバイス共存（ＩＤＣ）要件が原因で、ｅＮＢから受信されたＣＣＡパラメータを使用しないことを決定し得る。ｅＮＢから受信されたＣＣＡパラメータとＵＥのＩＤＣ要件との間にコンフリクトが存在するとき、ＵＥは、ｅＮＢからのＣＣＡパラメータの少なくとも一部を無視することを決定し得る。
【０１０９】
[00123]  次にＵＥは、ＵＬ送信のためのＣＣＡプロシージャを実施する。ＵＥは、１１０６ａにおいて、ＣＣＡを実施するために（１つまたは複数の）示されたＣＣＡパラメータを使用し得る。ＵＥは、示されたパラメータを尊重しないことを決定し得、代わりに１１０６ｂにおいてＣＣＡを実施するために異なるＣＣＡパラメータ／複数のパラメータを使用し得る。ＵＥは、１１０６ｃにおいて、ＣＣＡを実施するためにＣＣＡパラメータのすべてではないがいくらかを使用することを決定し得る。
【０１１０】
[00124]  インジケーションは、ＵＬグラント、ＤＬグラント、複数のＵＥを対象とするブロードキャスト、ＲＲＣメッセージ、またはＭＡＣ制御要素のうちの少なくとも１つにおいて受信され得る。インジケーションは、図８に関連して説明された、ｅＮＢからの送信に対応し得る。
【０１１１】
[00125]  ｅＮＢは、（１つまたは複数の）共通ＣＣＡパラメータのインジケーションを、ＵＥの定義されたグループに送信し得る。定義されたグループは、ＦＤＭまたはＭＵ−ＭＩＭＯ動作のためにグループ化されたＵＥのセットを備え得る。ＵＥのグループに共通ＣＣＡパラメータを提供することによって、ＵＥが同じセットのＣＣＡパラメータを有するようになることを確実にする。
【０１１２】
[00126]  ＵＥは、ＵＥのいくつかの定義されたグループの一部であり得、ＵＥの各定義されたグループは、共通ＣＣＡパラメータのそれ自身のセットを有し得る。したがって、ＵＥは、ｅＮＢからＣＣＡパラメータの複数のセットを受信し得、各セットは、少なくとも１つのＣＣＡパラメータを含む。
【０１１３】
[00127]  図１２は、例示的な装置１２０２における異なる手段／コンポーネント間のデータフローを例示する概念的データフローダイアグラム１２００である。装置は、ＵＥであり得る。装置は、ｅＮＢ１２５０から送信を受信する受信コンポーネント１２０４と、ＣＣＡおよび可能性のある報告を含む通信をｅＮＢ１２５０に送信する送信コンポーネント１２０６とを含む。装置１２０２はまた、ＣＣＡ動作を実施するＣＣＡコンポーネント１２０８を含む。受信コンポーネント１２０４は、ＵＬのためのＣＣＡプロシージャを実施する際に使用するための少なくとも１つのＣＣＡパラメータのインジケーションを受信し得る。装置は、ＵＬ送信のためのＣＣＡプロシージャを実施する際に少なくとも１つのＣＣＡパラメータを使用するかどうかを決定するＣＣＡパラメータ決定コンポーネント１２１２を含み、決定をＣＣＡコンポーネント１２０８に提供し得る。
【０１１４】
[00128]  ＣＣＡコンポーネント１２０８は次いで、装置に、ｅＮＢから受信された示されたパラメータを使用してＵＬ送信のためのＣＣＡプロシージャを実施させるために、送信コンポーネント１２０６と通信し得る。
【０１１５】
[00129]  受信コンポーネントは、ｅＮＢからＤＬグラントまたはＵＬグラントにおいてＣＣＡパラメータのインジケーションを受信し得る。ＣＣＡパラメータを備える送信は、その装置を対象とし得る。代替的に、装置は、複数のＵＥを対象とするブロードキャストにおいて、パラメータのインジケーションを受信し得る。ＣＣＡパラメータのインジケーションはまた、ＲＲＣメッセージまたはＭＡＣ制御要素において受信され得る。
【０１１６】
[00130]  装置はさらに、ｅＮＢ１２５０への送信のための報告を生成する報告コンポーネント１２１０を備え得る。例えば、報告は、ＣＣＡパラメータのインジケーションを受信することに先立って、受信されたＷｉ−Ｆｉパケットのタイプ、ＤＬ送信のための干渉測定報告、およびＣＣＡクリアランス統計値のうちの少なくとも１つを含み得る。報告コンポーネントは、ｅＮＢ１２５０への送信のために、報告情報を送信コンポーネント１２０６に提供し得る。報告コンポーネントは、報告を生成するために、受信コンポーネント１２０４において受信され、報告コンポーネントに提供された情報を使用し得る。
【０１１７】
[00131]  装置は、図１１の前述のフローチャートにおけるアルゴリズムのブロックの各々を実施する追加的なコンポーネントを含み得る。したがって、図１１の前述のフローチャートにおける各ブロックは、１つのコンポーネントによって実施され得、装置は、それらのコンポーネントのうちの１つまたは複数を含み得る。これらコンポーネントは、述べられたプロセス／アルゴリズムを実行するように特に構成された１つまたは複数のハードウェアコンポーネントであるか、述べられたプロセス／アルゴリズムを実施するよう構成されたプロセッサによってインプリメントされるか、プロセッサによるインプリメンテーションのためにコンピュータ読み取り可能な媒体内に記憶されるか、またはこれらの何らかの組合せであり得る。
【０１１８】
[00132]  図１３は、処理システム１３１４を用いる装置１２０２’についてのハードウェアインプリメンテーションの例を例示する図１３００である。処理システム１３１４は、概してバス１３２４によって表されるバスアーキテクチャを用いてインプリメントされ得る。バス１３２４は、処理システム１３１４の特定の用途および全体的な設計制約に応じて、相互接続バスおよびブリッジをいくつでも含み得る。バス１３２４は、プロセッサ１３０４、コンポーネント１２０２、１２０４、１２０６、１２０８、１２１０、１２１２およびコンピュータ読み取り可能な媒体／メモリ１３０６によって表される、１つまたは複数のプロセッサおよび／またはハードウェアコンポーネントを含む様々な回路を互いにリンクする。バス１３２４はまた、タイミングソース、周辺機器、電圧レギュレータ、および電力管理回路のような、様々な他の回路もリンクさせ得るが、これらは当該技術で周知であるため、これ以上説明されることはない。
【０１１９】
[00133]  処理システム１３１４は、トランシーバ１３１０に結合され得る。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を処理システム１３１４に、特に受信コンポーネント１２０４に、提供する。加えて、トランシーバ１３１０は、処理システム１３１４、特に送信コンポーネント１２０６から情報を受信し、その受信された情報に基づいて、１つまたは複数のアンテナ１３２０に適用される信号を生成する。処理システム１３１４は、コンピュータ読み取り可能な媒体／メモリ１３０６に結合されたプロセッサ１３０４を含む。プロセッサ１３０４は、コンピュータ読み取り可能な媒体／メモリ１３０６に記憶されたソフトウェアの実行を含む一般的な処理を担う。ソフトウェアは、プロセッサ１３０４によって実行されたとき、処理システム１３１４に、任意の特定の装置に関して上で説明した様々な機能を実施させる。コンピュータ読み取り可能な媒体／メモリ１３０６はまた、ソフトウェアを実行するときにプロセッサ１３０４によって操作されるデータを記憶するために使用され得る。処理システムはさらに、コンポーネント１２０２、１２０４、１２０６、１２０８、１２１０、１２１２のうちの少なくとも１つを含む。これらのコンポーネントは、プロセッサ１３０４上で動作するかコンピュータ読み取り可能な媒体／メモリ１３０６に存在／記憶されたソフトウェアコンポーネントか、プロセッサ１３０４に結合された１つまたは複数のハードウェアコンポーネントか、またはそれらの何らかの組合せであり得る。処理システム１３１４は、ＵＥ１１５のコンポーネントであり得、メモリ６８２および／またはＴＸプロセッサ６６４、ＲＸプロセッサ６５８、およびコントローラ／プロセッサ６８０のうちの少なくとも１つを含み得る。
【０１２０】
[00134]  一構成では、ワイヤレス通信のための装置１２０２／１２０２’は、ＵＬ送信のためのＣＣＡプロシージャを実施する際に使用するためのＣＣＡパラメータのインジケーションを受信するための手段と、示されたパラメータを使用してＵＬ送信のためのＣＣＡプロシージャを実施するための手段とを含む。装置１２０２／１２０２’は、ＣＣＡパラメータのインジケーションを受信することに先立ってｅＮＢに報告を送信するための手段を備え得る。例えば、報告は、受信されたＷｉ−Ｆｉパケットのタイプ、ＤＬ送信のための干渉測定報告、およびＣＣＡクリアランス統計値のいずれも備え得る。前述の手段は、前述の手段によって記載された機能を実施するように構成された装置１２０２’の処理システム１３１４および／または装置１２０２の前述のコンポーネントのうちの１つまたは複数であり得る。上に説明されたように、処理システム１３１４は、ＴＸプロセッサ６６４、ＲＸプロセッサ６５８、およびコントローラ／プロセッサ６８０を含み得る。したがって、１つの構成では、前述の手段は、前述の手段によって記載された機能を実施するよう構成されたＴＸプロセッサ６６４、ＲＸプロセッサ６５８、およびコントローラ／プロセッサ６８０であり得る。
【０１２１】
[00135]  当業者は、情報および信号が、多様な異なる技術および技法のうちのいずれを使用しても表され得ることを理解するだろう。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【０１２２】
[00136]  図９、図１０、および図１２、および図１３における機能ブロックおよびコンポーネントは、プロセッサ、電子デバイス、ハードウェアデバイス、電子コンポーネント、論理回路、メモリ、ソフトウェアコード、ファームウェアコード等またはそれらの任意の組合せを備え得る。
【０１２３】
[00137]  当業者は、さらに、ここでの開示に関連して説明された様々な例示的な論理ブロック、コンポーネント、回路、およびアルゴリズムステップが、電子ハードウェア、コンピュータソフトウェア、またはその両方の組合せとしてインプリメントされ得ることを認識するだろう。ハードウェアおよびソフトウェアのこの互換性を明確に例示するために、様々な例示的なコンポーネント、ブロック、回路、およびステップが、一般にそれらの機能性の観点から上に説明されている。そのような機能性が、ハードウェアとしてインプリメントされるかまたはソフトウェアとしてインプリメントされるかは、特定の用途およびシステム全体に課せられる設計制約に依存する。当業者は、説明された機能性を特定の用途ごとに様々な方法でインプリメントし得るが、そのようなインプリメンテーションの決定（decisions）は、本開示の範囲からの逸脱を生じさせるものとして解釈されるべきではない。当業者はまた、ここに説明されたコンポーネント、方法、またはインタラクションの順序または組合せが単なる例であること、そして本開示の様々な態様のコンポーネント、方法、またはインタラクションは、ここに例示および説明されたもの以外の方法で組み合わせられ得るまたは実施され得ることも容易に認識することになる。
【０１２４】
[00138]  ここでの開示に関連して説明された様々な例示的な論理ブロック、コンポーネント、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、またはここに説明された機能を実施するように設計されたそれらの任意の組合せを用いて、インプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ、例えば、ＤＳＰと１つのマイクロプロセッサの組合せ、複数のマイクロプロセッサ、ＤＳＰコアと連結した１つまたは複数のマイクロプロセッサ、または任意の他のそのような構成としてもインプリメントされ得る。
【０１２５】
[00139]  ここでの開示に関連して説明されたアルゴリズムまたは方法のステップは、直接的にハードウェアにおいて、プロセッサによって実行されるソフトウェアコンポーネントにおいて、またはそれらの２つの組合せにおいて、具現化され得る。ソフトウェアコンポーネントは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術で既知の任意の他の形態の記憶媒体内に存在し得る。例示的な記憶媒体は、プロセッサが記憶媒体から情報を読み出すことができるように、および記憶媒体へ情報を書き込むことができるように、プロセッサに結合されている。別の方法では、記憶媒体はプロセッサに統合され得る。プロセッサおよび記憶媒体は、ＡＳＩＣに存在し得る。ＡＳＩＣは、ユーザ端末内に存在し得る。別の方法では、プロセッサおよび記憶媒体は、ユーザ端末内のディスクリートコンポーネントとして存在し得る。
【０１２６】
[00140]  １つまたは複数の例示的な設計において、説明された複数の機能は、ハードウェア、ソフトウェア、ファームウェア、またはそれらの任意の組合せでインプリメントされ得る。ソフトウェアでインプリメントされる場合、それら機能は、コンピュータ読み取り可能な媒体上の１つまたは複数の命令またはコードとして記憶または送信され得る。コンピュータ読み取り可能な媒体は、１つの場所から別の場所へのコンピュータプログラムの転送を容易にする任意の媒体を含む、コンピュータ記憶媒体および通信媒体の両方を含む。コンピュータ読み取り可能な記憶媒体は、汎用または専用コンピュータによってアクセスされることができる任意の利用可能な媒体であり得る。限定ではなく例として、そのようなコンピュータ読み取り可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは汎用または専用コンピュータ、もしくは汎用または専用プロセッサによってアクセスされることができ、かつ命令またはデータ構造の形態で所望のプログラムコード手段を搬送または記憶するために使用されることができる、任意の他の媒体を備えることができる。また、接続は、コンピュータ読み取り可能な媒体と適正に名付けられ得る。例えば、ソフトウェアが、同軸ケーブル、光ファイバーケーブル、ツイストペアまたはデジタル加入者回線（ＤＳＬ）を使用してウェブサイト、サーバまたは他の遠隔ソースから送信される場合には、同軸ケーブル、光ファイバーケーブル、ツイストペアまたはＤＳＬは、媒体の定義に含まれる。本明細書で使用される場合、ディスク（disk）およびディスク（disc）は、コンパクトディスク（disc）（ＣＤ）、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれるべきである。
【０１２７】
[00141]  請求項を含め、ここで使用される場合、「および／または」という用語は、２つ以上の項目のリストに使用されるとき、リストされた項目のうちのいずれの１つも、それだけで用いられることができること、あるいは、リストされた項目の２つ以上のいかなる組合せも用いられることができること、を意味する。例えば、ある構成（composition）がコンポーネントＡ、Ｂおよび／またはＣを含むとして説明される場合、その構成は、Ａ単体、Ｂ単体、Ｃ単体、ＡとＢとの組合せ、ＡとＣとの組合せ、ＢとＣとの組合せ、あるいは、ＡとＢとＣとの組合せを含むことができる。また、請求項を含め、ここで使用される場合、「のうちの少なくとも１つ」で終わる項目のリストで使用される「または（or）」は、例えば、「Ａ、ＢまたはＣのうちの少なくとも１つ」というリストが、ＡまたはＢまたはＣまたはＡＢまたはＡＣまたはＢＣまたはＡＢＣ（すなわち、ＡおよびＢおよびＣ）あるいはそれらの任意の組合せにおけるそれらのいずれのものをも意味するような、選言的なリスト（a disjunctive list）を示す。
【０１２８】
[00142]  本開示の先の説明は、当業者が本開示を製造または使用することを可能にするために提供される。本開示への様々な修正は、当業者にとって容易に明らかとなり、ここに定義された一般的な原理は、本開示の範囲または精神から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
ワイヤレス通信の方法であって、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を備える、方法。
［Ｃ２］
前記情報を受信することは、少なくとも１つのＵＥから報告を受信することを含む、Ｃ１に記載の方法。
［Ｃ３］
前記情報を受信することは、前記１つまたは複数のＲＡＴについてのトラフィックを観察することを備える、Ｃ１に記載の方法。
［Ｃ４］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ１に記載の方法。
［Ｃ５］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ４に記載の方法。
［Ｃ６］
前記少なくとも１つのＣＣＡパラメータは、複数のＵＥにブロードキャストされる、Ｃ１に記載の方法。
［Ｃ７］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ６に記載の方法。
［Ｃ８］
前記少なくとも１つのＣＣＡパラメータは、スロットごとに前記ＵＥによって使用されることになるＣＣＡしきい値を備える、Ｃ１に記載の方法。
［Ｃ９］
前記少なくとも１つのＣＣＡパラメータは、チャネルアクセスまたはバックオフスキームのうちの１つのインジケーションを備える、Ｃ１に記載の方法。
［Ｃ１０］
前記少なくとも１つのＣＣＡパラメータは、前記チャネルアクセススキームのインジケーションを備え、示されるチャネルアクセススキームは、ＵＬチャネルごとに異なる、Ｃ７に記載の方法。
［Ｃ１１］
前記少なくとも１つのＣＣＡパラメータは、前記ＣＣＡのためのスロットの少なくとも一部についての持続時間を備える、Ｃ１に記載の方法。
［Ｃ１２］
前記少なくとも１つのＣＣＡパラメータは、予約信号タイプを尊重するかどうかのインジケーションを備え、前記予約信号タイプは、
Ｗｉ−Ｆｉ予約信号、
前記ＵＥ展開に関連する予約信号、または、
別のライセンス支援アクセス展開に関連する予約信号、
のうちの少なくとも１つである、Ｃ１に記載の方法。
［Ｃ１３］
前記インジケーションは、最大送信電力または送信電力の変化を備える、Ｃ１に記載の方法。
［Ｃ１４］
前記少なくとも１つのＣＣＡパラメータは、Ｗｉ−Ｆｉチャネル使用ビーコン信号（Ｗ−ＣＵＢＳ）を送信するかどうかのインジケーションを備える、Ｃ１に記載の方法。
［Ｃ１５］
前記少なくとも１つのＣＣＡパラメータは、競合ベースのアクセスが前記ＵＬ送信について可能にされているかどうかを示し、ここにおいて、前記競合ベースのアクセスが可能にされているとき、前記ＵＥは、前記ｅＮＢからのＵＬグラントなしに、前記チャネルを求めて競合することができる、Ｃ１に記載の方法。
［Ｃ１６］
前記少なくとも１つのＣＣＡパラメータは、アップリンクＣＣＡ免除送信（ＵＬ−ＣＥＴ）が可能にされているかどうかを示す、Ｃ１に記載の方法。
［Ｃ１７］
ワイヤレス通信のための装置であって、
１つまたは複数の無線アクセス技術（ＲＡＴ）についてのワイヤレス通信に関する情報を受信するための手段と、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定するための手段と、
前記少なくとも１つのＣＣＡパラメータのインジケーションを前記ＵＥに送信するための手段と、
を備える、装置。
［Ｃ１８］
前記情報を受信することは、少なくとも１つのＵＥから報告を受信すること、または前記１つまたは複数のＲＡＴについてのトラフィックを観察することのうちの少なくとも１つを含む、Ｃ１７に記載の装置。
［Ｃ１９］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ１７に記載の装置。
［Ｃ２０］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ１９に記載の装置。
［Ｃ２１］
前記少なくとも１つのＣＣＡパラメータは、複数のＵＥにブロードキャストされる、Ｃ１７に記載の装置。
［Ｃ２２］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ２１に記載の装置。
［Ｃ２３］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ１７に記載の装置。
［Ｃ２４］
ワイヤレス通信のための装置であって、
メモリと、
前記メモリに結合された少なくとも１つのプロセッサと、
を備え、前記少なくとも１つのプロセッサは、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を行うように構成される、
装置。
［Ｃ２５］
前記情報を受信することは、少なくとも１つのＵＥから報告を受信すること、または前記１つまたは複数のＲＡＴについてのトラフィックを観察することのうちの少なくとも１つを含む、Ｃ２４に記載の装置。
［Ｃ２６］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ２４に記載の装置。
［Ｃ２７］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ２６に記載の装置。
［Ｃ２８］
前記少なくとも１つのＣＣＡパラメータは、複数のＵＥにブロードキャストされる、Ｃ２４に記載の装置。
［Ｃ２９］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ２８に記載の装置。
［Ｃ３０］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ２４に記載の装置。
［Ｃ３１］
コンピュータ実行可能コードを記憶するコンピュータ読み取り可能な媒体であって、
１つまたは複数の無線アクセス技術（ＲＡＴ）についてのワイヤレス通信に関する情報を受信することと、
前記受信された情報に基づいて、アップリンク（ＵＬ）のためのＣＣＡプロシージャを実施する際にユーザ装置（ＵＥ）によって使用されるための、少なくとも１つのクリアチャネルアセスメント（ＣＣＡ）パラメータを決定することと、
前記少なくとも１つのＣＣＡパラメータのインジケーションを前記ＵＥに送信することと、
を行うためのコードを備える、
コンピュータ読み取り可能な媒体。
［Ｃ３２］
前記情報を受信することは、少なくとも１つのＵＥから報告を受信すること、または前記１つまたは複数のＲＡＴについてのトラフィックを観察することのうちの少なくとも１つを含む、Ｃ３１に記載のコンピュータ読み取り可能な媒体。
［Ｃ３３］
前記インジケーションは、
ＵＬグラント、
ダウンリンク（ＤＬ）グラント、
無線リソース制御（ＲＲＣ）メッセージ、または、
媒体アクセス制御（ＭＡＣ）制御要素、
のうちの少なくとも１つにおいて前記ＵＥに送信される、Ｃ３１に記載のコンピュータ読み取り可能な媒体。
［Ｃ３４］
前記ＵＥからの前記報告は、前記ＵＥによって受信されるＷｉ−Ｆｉパケットのタイプ、干渉測定報告、およびＣＣＡクリアランス統計値のうちの少なくとも１つを備え、
前記少なくとも１つのＣＣＡパラメータは、前記受信された報告を少なくとも部分的に使用して決定される、
Ｃ３３に記載のコンピュータ読み取り可能な媒体。
［Ｃ３５］
前記少なくとも１つのＣＣＡパラメータは、複数のＵＥにブロードキャストされる、Ｃ３１に記載のコンピュータ読み取り可能な媒体。
［Ｃ３６］
前記ブロードキャストは、共通ＲＲＣメッセージの一部としてブロードキャストされるまたはＵＥのグループに知られている無線ネットワーク一時識別子（ＲＮＴＩ）を伴う新しいダウンリンク制御情報（ＤＣＩ）フォーマットによるものである、Ｃ３５に記載のコンピュータ読み取り可能な媒体。
［Ｃ３７］
前記少なくとも１つのＣＣＡパラメータは、
スロットごとに前記ＵＥによって使用されることになるＣＣＡしきい値、
チャネルアクセススキーム、
バックオフスキーム、
前記チャネルアクセススキームであって、示されるチャネルアクセススキームがＵＬチャネルごとに異なる、前記チャネルアクセススキーム、
前記ＣＣＡのためのスロットの少なくとも一部についての持続時間、
予約信号タイプを尊重するかどうか、前記予約信号タイプは、Ｗｉ−Ｆｉ予約信号、前記ＵＥ展開に関連する予約信号、または別のライセンス支援アクセス展開に関連する予約信号のうちの少なくとも１つである、
Ｗｉ−Ｆｉチャネル使用ビーコン信号（Ｗ−ＣＵＢＳ）を送信するかどうか、
競合ベースのアクセスが前記ＵＬ送信について可能にされているかどうか、ここにおいて、前記競合ベースのアクセスが可能にされているとき、前記ＵＥは、前記ｅＮＢからのＵＬグラントなしに、前記チャネルを求めて競合することができる、
アップリンクＣＣＡ免除送信（ＵＬ−ＣＥＴ）が可能にされているかどうか、
送信電力の変化、または、
最大送信電力、
のうちの少なくとも１つを示す、Ｃ３１に記載のコンピュータ読み取り可能な媒体。
［Ｃ３８］
ユーザ装置（ＵＥ）におけるワイヤレス通信の方法であって、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を備える、方法。
［Ｃ３９］
前記ＣＣＡプロシージャを実施することは、前記少なくとも１つの示されたＣＣＡパラメータを使用して、ＵＬ送信のための前記ＣＣＡプロシージャを実施することを含む、Ｃ３８に記載の方法。
［Ｃ４０］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ３８に記載の方法。
［Ｃ４１］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ３８に記載の方法。
［Ｃ４２］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ３８に記載の方法。
［Ｃ４３］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信することをさらに備える、Ｃ３８に記載の方法。
［Ｃ４４］
ユーザ装置（ＵＥ）におけるワイヤレス通信ための装置であって、
アップリンク（ＵＬ）送信のためのＣＣＡプロシージャを実施する際に使用するための、少なくとも１つのクリアチャネルアセスメント（ＣＣＡ）パラメータのインジケーションを受信するための手段と、
ＵＬ送信のための前記ＣＣＡプロシージャを実施する際に前記少なくとも１つのＣＣＡパラメータを使用するかどうかを決定するための手段と、
前記ＣＣＡプロシージャを実施するための手段と、
を備える、装置。
［Ｃ４５］
前記決定するための手段が前記少なくとも１つのＣＣＡパラメータを使用しないと決定するとき、前記ＣＣＡプロシージャを前記実施するための手段は、前記少なくとも１つの示されたＣＣＡパラメータとは異なるパラメータを使用する、Ｃ４４に記載の装置。
［Ｃ４６］
前記受信するための手段は、アップリンク（ＵＬ）送信のためのＣＣＡプロシージャを実施する際に使用するための複数のパラメータについてのインジケーションを受信し、ここにおいて、前記ＣＣＡプロシージャを前記実施するための手段は、前記複数の示されたパラメータの一部のみを使用する、Ｃ４４に記載の装置。
［Ｃ４７］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ４４に記載の装置。
［Ｃ４８］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するための手段をさらに備える、Ｃ４４に記載の装置。
［Ｃ４９］
ユーザ装置（ＵＥ）におけるワイヤレス通信ための装置であって、
メモリと、
前記メモリに結合された少なくとも１つのプロセッサと、
を備え、前記少なくとも１つのプロセッサは、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うように構成される、装置。
［Ｃ５０］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ４９に記載の装置。
［Ｃ５１］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ４９に記載の装置。
［Ｃ５２］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ４９に記載の装置。
［Ｃ５３］
前記少なくとも１つのプロセッサは、
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するようにさらに構成される、Ｃ４９に記載の装置。
［Ｃ５４］
ユーザ装置（ＵＥ）におけるワイヤレス通信のためのコンピュータ実行可能コードを記憶するコンピュータ読み取り可能な媒体であって、
アップリンク（ＵＬ）送信のためのＣＣＡプロシージャを実施する際に使用するための、少なくとも１つのクリアチャネルアセスメント（ＣＣＡ）パラメータのインジケーションを受信することと、
ＵＬ送信のための前記ＣＣＡプロシージャを実施する際に前記少なくとも１つのＣＣＡパラメータを使用するかどうかを決定することと、
前記ＣＣＡプロシージャを実施することと、
を行うためのコードを備える、コンピュータ読み取り可能な媒体。
［Ｃ５５］
前記ＵＥが、前記少なくとも１つのＣＣＡパラメータを使用しないと決定するとき、前記ＵＥは、前記少なくとも１つの示されたＣＣＡパラメータとは異なるパラメータを使用して前記ＣＣＡプロシージャを実施する、Ｃ５４に記載のコンピュータ読み取り可能な媒体。
［Ｃ５６］
前記ＵＥは、アップリンク（ＵＬ）送信のためのＣＣＡプロシージャを実施する際に使用するための複数のパラメータについてのインジケーションを受信し、ここにおいて、前記ＵＥは、前記複数の示されたパラメータの一部のみを使用して前記ＣＣＡプロシージャを実施する、Ｃ５４に記載のコンピュータ読み取り可能な媒体。
［Ｃ５７］
前記インジケーションは、
ＵＬグラント、
ダウンリンク（ＤＬ）グラント、
複数のユーザ装置（ＵＥ）を対象とするブロードキャスト、
無線リソース制御（ＲＲＣ）メッセージ、
媒体アクセス制御（ＭＡＣ）制御要素、
のうちの少なくとも１つにおいて受信される、Ｃ５４に記載のコンピュータ読み取り可能な媒体。
［Ｃ５８］
前記少なくとも１つのＣＣＡパラメータの前記インジケーションを受信することに先立って、受信されたＷｉ−Ｆｉパケットのタイプ、ダウンリンク（ＤＬ）送信についての干渉測定報告、およびＣＣＡクリアランス統計値のうちの少なくとも１つを備える報告を送信するためのコードをさらに備える、Ｃ５４に記載のコンピュータ読み取り可能な媒体。
【図１】
0006633097.tif 000002
【図２Ａ】
0006633097.tif 000003
【図２Ｂ】
0006633097.tif 000004
【図３】
0006633097.tif 000005
【図４】
0006633097.tif 000006
【図５】
0006633097.tif 000007
【図６】
0006633097.tif 000008
【図７】
0006633097.tif 000009
【図８】
0006633097.tif 000010
【図９】
0006633097.tif 000011
【図１０】
0006633097.tif 000012
【図１１】
0006633097.tif 000013
【図１２】
0006633097.tif 000014
【図１３】
0006633097.tif 000015